(57)【要約】電源電池モジュール１０００が提供される。電源電池モジュール１０００は、複数のセパレータ１０を有する電池収容アセンブリ１００であって、各セパレータ１０は、前方収容溝１４を画定する前部および後部を有するセパレータ本体１１と、左カバー１２と、右カバー１３とを備える電池収容アセンブリ１００と、電池群と、電源接続部材４０７と、電源接続配線４０７１と、配線スナップフィット２００とを備え、隣接するセパレータ１０は互いに取り外し可能に接続され、隣接するセパレータ１０のうちの一方の前方収容溝１４、および、隣接するセパレータ１０の他方のセパレータ本体１１の後部が電池室を画定し、前方収容溝１４の上壁および下壁のうちの少なくとも一方の中にスナップ嵌め孔１１２３が形成される。【選択図】図１
2017501552.tif 000002
【特許請求の範囲】
【請求項１】
電源電池モジュールであって、
複数のセパレータを有する電池収容アセンブリであって、各セパレータは、
前方収容溝を画定する前部および後部を有するセパレータ本体と、
前記セパレータ本体の左端に配置される左カバーと、
前記セパレータ本体の右端に配置される右カバーとを備え、
隣接するセパレータは互いに取り外し可能に接続され、前記隣接するセパレータのうちの一方の前記前方収容溝、および、前記隣接するセパレータの他方の前記セパレータ本体の前記後部が電池室を画定し、前記前方収容溝の上壁および下壁のうちの少なくとも一方の中にスナップ嵌め孔が形成される、電池収容アセンブリと、
電池群であって、対応して前記電池室内に収容される複数の電池を含み、各電池は、電極端子を有する、電池群と、
隣接する電池の前記電極端子と接続される電源接続部材と、
前記電源接続部材と接続される電源接続配線と、
配線スナップフィットであって、スナップフィット本体の長さ方向において前記スナップフィット本体を貫通する配線溝を画定する、スナップフィット本体、および前記スナップフィット本体の外部に配置されており、前記スナップフィット本体を前記セパレータに締結するために前記スナップ嵌め孔内にスナップ嵌めされるように構成されている配線クラスプを有するスナップ嵌め部を備える配線スナップフィットと
を備え、
前記電源接続配線は前記配線溝を通過し、前記配線溝内に受け入れられる、電源電池モジュール。
【請求項２】
前記電源電池モジュールは、
前記電極端子と接続される信号収集配線と、
前記信号収集配線と接続される信号収集部材とをさらに備え、
前記信号収集配線は前記配線溝を通過し、前記配線溝内に受け入れられる、請求項１に記載の電源電池モジュール。
【請求項３】
前記セパレータの前記後部は後方収容溝を画定し、前記スナップ嵌め孔は、前記後方収容溝の上壁および下壁のうちの少なくとも一方の中に形成される、請求項１に記載の電源電池モジュール。
【請求項４】
前記前方収容溝の左壁および右壁のうちの少なくとも一方の中に前方切り欠きが形成され、前記前方切り欠きに対応する後方切り欠きが、前記後方収容溝の左壁および右壁のうちの少なくとも一方の中に形成される、請求項１に記載の電源電池モジュール。
【請求項５】
前記セパレータ本体は、
垂直板と、
前記垂直板の上縁に配置される上側フレームプレートと、
前記垂直板の下縁に配置される下側フレームプレートと、
前記垂直板の左端に配置され、前記上側フレームプレートと接続される上端、および前記下側フレームプレートと接続される下端を画定する左プレートと、
前記垂直板の右端に配置され、前記上側フレームプレートと接続される上端、および前記下側フレームプレートと接続される下端を画定する右プレートとを備え、
前記前方収容溝および前記後方収容溝の各々は前記垂直板、前記上側フレームプレート、前記下側フレームプレート、前記左プレートおよび前記右プレートによって画定される、請求項４に記載の電源電池モジュール。
【請求項６】
前記前方収容溝を前記後方収容溝に連通させるために、前記垂直板内に窓が形成され、絶縁板または導熱板が前記窓内に配置される、請求項５に記載の電源電池モジュール。
【請求項７】
前記上側フレームプレート内に挿入孔が形成され、前記挿入孔と位置合わせされた挿入溝が前記垂直板内に形成され、前記絶縁板または前記導熱板が、前記挿入孔および前記挿入溝を介して前記窓内に挿入される、請求項６に記載の電源電池モジュール。
【請求項８】
前記前方切り欠きは前記左プレートおよび前記右プレートの各々の前縁内に形成され、前記後方切り欠きは前記左プレートおよび前記右プレートの各々の後縁内に形成される、請求項５に記載の電源電池モジュール。
【請求項９】
前記上側フレームプレートの左端が、左上延伸部を形成するように、前記左プレートを越えて左向きに延伸され、前記下側フレームプレートの左端が、左下延伸部を形成するように、前記左プレートを越えて左向きに延伸され、前記上側フレームプレートの右端が、右上延伸部を形成するように、前記右プレートを越えて右向きに延伸され、前記下側フレームプレートの右端が、右下延伸部を形成するように、前記右プレートを越えて右向きに延伸され、前記左上延伸部、前記左下延伸部、前記右上延伸部および前記右下延伸部の各々の中に、スナップ嵌めスロットが形成され、前記左上延伸部の前記スナップ嵌めスロット内にスナップ嵌めされる左上クラスプ、および、前記左下延伸部の前記スナップ嵌めスロット内にスナップ嵌めされる左下クラスプが前記左カバーの右面上に配置され、前記右上延伸部の前記スナップ嵌めスロット内にスナップ嵌めされる右上クラスプ、および、前記右下延伸部の前記スナップ嵌めスロット内にスナップ嵌めされる右下クラスプが前記右カバーの左面上に配置される、請求項５に記載の電源電池モジュール。
【請求項１０】
前記左カバーおよび前記右カバーは、前後方向において、前記左プレートおよび前記右プレートの前後方向における幅以上であり、前記上側フレームプレートおよび前記下側フレームプレートの前後方向における幅以下である幅を有する、請求項８に記載の電源電池モジュール。
【請求項１１】
カバー挿入スロットが前記セパレータ本体内に形成され、前記カバー挿入スロット内に嵌まるように適合されているカバークラスプが、前記左カバーおよび前記右カバーの各々に配置される、請求項１に記載の電源電池モジュール。
【請求項１２】
前記セパレータ本体は一体的に形成される、請求項５〜１１のいずれか一項に記載の電源電池モジュール。
【請求項１３】
前記前方収容溝および前記後方収容溝のうちの少なくとも一方の下壁に環状段部が配置される、請求項３に記載の電源電池モジュール。
【請求項１４】
前記前方収容溝および前記後方収容溝のうちの少なくとも一方の下壁の表面が、前記下壁の周縁から前記下壁の中心へと下向きに傾けられている、請求項３に記載の電源電池モジュール。
【請求項１５】
前記上側フレームプレートおよび前記下側フレームプレートの各々の前側端に前方段部が配置され、前記上側フレームプレートおよび前記下側フレームプレートの各々の後側端に後方段部が配置される、請求項５に記載の電源電池モジュール。
【請求項１６】
前記前方段部は下向きに面しており、前記後方段部は上向きに面している、請求項１５に記載の電源電池モジュール。
【請求項１７】
前記前方段部は、下向きに面する第１の前方段部セグメント、および上向きに面する第２の前方段部セグメントを備え、前記後方段部は、上向きに面し、前記第１の前方段部セグメントに対応する第１の後方段部セグメント、および、下向きに面し、前記第２の前方段部セグメントに対応する第２の後方段部セグメントを備える、請求項１５に記載の電源電池モジュール。
【請求項１８】
前記セパレータの各々は、上下方向に配列される複数の前記前方収容溝と、上下方向に配列され、前記前方収容溝と１対１で対応する複数の前記後方収容溝とを備え、隣接する前方収容溝は前方分離板によって互いから分離され、隣接する後方収容溝は後方分離板によって互いから分離され、
互いに対応する前記前方分離板および前記後方分離板は一体的に形成される、請求項３〜１７のいずれか一項に記載の電源電池モジュール。
【請求項１９】
複数の前記前方切り欠きが配置されて、上下方向において互いから離間され、複数の前記後方切り欠きが配置されて、上下方向において互いから離間される、請求項４〜１８のいずれか一項に記載の電源電池モジュール。
【請求項２０】
前記左カバーおよび前記右カバーは、前記セパレータ本体に取り外し可能に配置され、または前記セパレータ本体と一体的に形成される、請求項１に記載の電源電池モジュール。
【請求項２１】
前記電源電池モジュールは、前記複数のセパレータのうちの最前方のセパレータにフィットし、その後部において後方溝を画定する前方プレートをさらに備え、前記前方プレートの前記後方溝、および、前記最前方のセパレータの前記前方収容溝が、最前方の電池室を画定する、請求項３に記載の電源電池モジュール。
【請求項２２】
前記電源電池モジュールは、前記複数のセパレータのうちの最後方のセパレータにフィットし、その前部において前方溝を画定する後方プレートをさらに備え、前記前方溝、および、前記最後方のセパレータの前記後方収容溝が、最後方の電池室を画定する、請求項２１に記載の電源電池モジュール。
【請求項２３】
前記スナップフィット本体は、アーチ形状を有するように構成され、前記配線溝の下端に開口部が形成され、前記スナップ嵌め部は前記開口部の２つの側部に配置される、請求項１に記載の電源電池モジュール。
【請求項２４】
前記開口部の前記２つの側部に配置される前記スナップ嵌め部は互いに対称である、請求項２３に記載の電源電池モジュール。
【請求項２５】
前記スナップフィット本体および前記スナップ嵌め部は一体的に形成され、前記スナップ嵌め部の第１の端部は前記スナップフィット本体と接続され、前記配線クラスプは前記スナップ嵌め部の第２の端部に配置される、請求項１に記載の電源電池モジュール。
【請求項２６】
前記配線溝は、第１の配線溝および第２の配線溝を備え、前記スナップ嵌め部は前記第１の配線溝の外壁面上に配置され、前記第１の配線溝および前記第２の配線溝の延伸方向は交差する、請求項１に記載の電源電池モジュール。
【請求項２７】
前記配線溝は、
配線を収容するように構成されている配線収容部と、
前記配線収容部の下端に配置され、前記配線収容部と連通する遷移部とを備え、
前記遷移部の側方サイズは前記配線収容部の側方サイズよりも小さく、前記遷移部の下端は開いている、請求項１に記載の電源電池モジュール。
【請求項２８】
前記配線収容部の断面は円形状を有するように構成され、前記遷移部の断面は矩形形状を有するように構成され、前記遷移部の幅は前記配線収容部の直径よりも小さい、請求項２７に記載の電源電池モジュール。
【請求項２９】
前記遷移部の前記側方サイズは、上から下に漸進的に低減する、請求項２８に記載の電源電池モジュール。
【請求項３０】
前記配線収容部の内壁面は、平滑な表面として構成され、前記配線収容部の端部にフィレットが形成される、請求項２８に記載の電源電池モジュール。
【請求項３１】
前記配線収容部の断面は正方形形状を有するように構成されており、前記遷移部の断面は、矩形形状を有するように構成されている、請求項２７に記載の電源電池モジュール。
【請求項３２】
前記スナップ嵌め部のサイズは、長さ方向において前記スナップフィット本体のサイズよりも小さく、前記スナップ嵌め部の端部の表面は、前記スナップフィット本体の端部の表面と同一平面上にある、請求項２３〜３１のいずれか一項に記載の電源電池モジュール。
【請求項３３】
前記スナップ嵌め部は、実質的に前記スナップフィット本体と同じアーチ形状を有するように構成され、前記スナップ嵌め部のサイズは、幅方向と上下方向の両方において、前記スナップフィット本体のサイズよりも大きく、前記配線クラスプは幅方向において前記スナップ嵌め部の２つの端部に配置され、外向きに延伸する、請求項２６に記載の電源電池モジュール。
【請求項３４】
前記スナップ嵌め部は前記配線溝の第１の端部に隣接して配置され、制限フランジが、前記配線溝の第２の端部に配置される、請求項３２に記載の電源電池モジュール。
【請求項３５】
前記隣接するセパレータは、スナップ嵌め構造を介して互いに取り外し可能に接続される、請求項１に記載の電源電池モジュール。
【請求項３６】
前記スナップ嵌め構造は、
前記隣接するセパレータのうちの一方の中に形成されるスナップ嵌め溝と、
前記隣接するセパレータのうちの他方に配置され、前記隣接するセパレータ同士をともに締結するために、前記スナップ嵌め溝内に嵌まるように適合されているスナップ嵌め突出部とを備える、請求項３５に記載の電源電池モジュール。
【請求項３７】
前記電池室の左壁および右壁のうちの少なくとも一方の中に貫通孔が形成されている、請求項３６に記載の電源電池モジュール。
【請求項３８】
前記前方収容溝の左壁および右壁のうちの少なくとも一方の中に前方切り欠きが形成され、前記セパレータの前記後部が後方収容溝を画定し、前記電池室は、隣接するセパレータのうちの一方の前記前方収容溝、および、前記隣接するセパレータのうちの他方の前記後方収容溝によって画定され、前記前方切り欠きに対応する後方切り欠きが、前記後方収容溝の左壁および右壁のうちの少なくとも一方の中に形成され、前記貫通孔は、隣接するセパレータのうちの一方の前記前方切り欠き、および、前記隣接するセパレータのうちの他方の前記後方切り欠きによって画定される、請求項３７に記載の電源電池モジュール。
【請求項３９】
前記セパレータ本体は、
垂直板と、
前記垂直板の上縁に配置される上側フレームプレートと、
前記垂直板の下縁に配置される下側フレームプレートと、
前記垂直板の左端に配置され、前記上側フレームプレートと接続される上端、および前記下側フレームプレートと接続される下端を画定する左プレートと、
前記垂直板の右端に配置され、前記上側フレームプレートと接続される上端、および前記下側フレームプレートと接続される下端を画定する右プレートとを備え、
前記前方収容溝および前記後方収容溝の各々は前記垂直板、前記上側フレームプレート、前記下側フレームプレート、前記左プレートおよび前記右プレートによって画定される、請求項３８に記載の電源電池モジュール。
【請求項４０】
前記スナップ嵌め溝は前記上側フレームプレートの前縁および後縁のうちの一方の中に形成され、前記スナップ嵌め突出部は、前記上側フレームプレートの前記前縁および前記後縁のうちの他方に配置される、請求項３９に記載の電源電池モジュール。
【請求項４１】
前記スナップ嵌め溝は前記下側フレームプレートの前縁および後縁のうちの一方の中に形成され、前記スナップ嵌め突出部は、前記下側フレームプレートの前記前縁および前記後縁のうちの他方に配置される、請求項３９に記載の電源電池モジュール。
【請求項４２】
前記スナップ嵌め突出部は台形形状を有するように構成され、前記スナップ嵌め溝の開口部に誘導スロープが形成されている、請求項３６に記載の電源電池モジュール。
【請求項４３】
前記前方収容溝を前記後方収容溝に連通させるために、前記垂直板内に窓が形成され、絶縁板または導熱板が前記窓内に配置される、請求項３９〜４２のいずれか一項に記載の電源電池モジュール。
【請求項４４】
前記スナップ嵌め構造は、
前記セパレータ本体内に形成されるスナップフィット溝と、
少なくとも２つのセパレータを接続するように、前記少なくとも２つのセパレータの前記スナップフィット溝にそれぞれフィットする少なくとも２つの取り付け部を有するスナップフィットピンとを備える、請求項３５に記載の電源電池モジュール。
【請求項４５】
前記スナップフィットピンは接続ブリッジをさらに備え、隣接するセパレータを互いに接続するために、２つの取り付け部が、それぞれ前記接続ブリッジの２つの端部に配置され、前記隣接するセパレータの前記スナップフィット溝にフィットする、請求項４４に記載の電源電池モジュール。
【請求項４６】
前記スナップフィット溝は開口部を有し、前記隣接するセパレータ内の前記スナップフィット溝の前記開口部は、前記接続ブリッジを受け入れるために互いに対向している、請求項４５に記載の電源電池モジュール。
【発明の詳細な説明】
【関連出願の相互参照】
【０００１】
本出願は、参照によりその内容全体が本明細書に組み込まれる、２０１３年１２月３１日付けで知識産権局に提出された中国特許出願第２０１３１０７５４００６．３号の優先権および利益を主張する。
【技術分野】
【０００２】
本開示の実施形態は、概して電池の分野に関し、より詳細には、電源電池モジュールに関する。
【背景技術】
【０００３】
関連技術において、電源電池モジュールのほとんどは、マルチプレート構造または上下ハウジング構造を有する電池収容アセンブリを採用している。これらの構造は電池を良好に保護することができるが、マルチプレート構造および上下ハウジング構造の制限に起因して、電池の組み合わせモードを自由に拡大し展開することができない。電池の組み合わせモードが変化される必要があるとき、電池の新たな組み合わせ様式を再設計し再展開する必要があり、これは多くの時間を無駄にし、費用を大きく増大させる。また、マルチプレート構造および上下ハウジング構造を有する電池収容アセンブリは、電源電池モジュールの自動生産には適しておらず、したがって、電源電池モジュールの費用を増大させる。
【発明の概要】
【発明が解決しようとする課題】
【０００４】
本開示の実施形態は、関連技術に存在する問題のうちの少なくとも１つを少なくとも一定程度まで解決することを模索する。
【０００５】
したがって、本開示の目的は、電池の数を自由に拡大することができ、実際の要件に従って電池の複数の異なる接続様式に適合することができる電源電池モジュールを提供することである。
【課題を解決するための手段】
【０００６】
本開示の広範な態様の実施形態は、複数のセパレータを有する電池収容アセンブリと、電池群と、電源接続部材と、電源接続配線と、配線スナップフィットとを含む、電源電池モジュールを提供する。各セパレータは、前方収容溝を画定する前部および後部を有するセパレータ本体と、セパレータ本体の左端に配置されている左カバーと、セパレータ本体の右端に配置されている右カバーとを含む。隣接するセパレータは互いに取り外し可能に接続され、隣接するセパレータのうちの一方の前方収容溝、および、隣接するセパレータのうちの他方のセパレータ本体の後部が電池室を画定し、前方収容溝の上壁および下壁のうちの少なくとも一方の中にスナップ嵌め孔が形成される。電池群は、対応して電池室内に収容される複数の電池を含み、各電池は、電極端子を有する。電源接続部材は、隣接する電池の電極端子と接続される。電源接続配線は、電源接続部材と接続される。配線スナップフィットは、スナップフィット本体であって、スナップフィット本体の長さ方向においてスナップフィット本体を貫通する配線溝を画定する、スナップフィット本体と、スナップフィット本体の外部に配置されており、スナップフィット本体をセパレータに締結するためにスナップ嵌め孔内にスナップ嵌めされるように構成されている配線クラスプを有するスナップ嵌め部とを含む。電源接続配線は配線溝を通過し、配線溝内に受け入れられる。
【０００７】
互いに取り外し可能に接続されている電池および複数のセパレータを収容するための電池室を画定する隣接するセパレータによって、本開示の実施形態による電源電池モジュールは、電池の数を自由に拡大することができ、実際の要件に従って、電池の複数の異なる接続様式（直列接続、並列接続および直列−並列接続など）に適合することができる。加えて、配線スナップフィットによって、電源接続配線（配線またはワイヤ）を、効率的かつ簡便に配線溝内に収めることができ、配線またはワイヤが、使用過程において振動することを防止することができ、配線またはワイヤと周囲の構造との間の摩擦を低減して、電源電池モジュールの安全性能を向上させることができる。その上、配線クラスプを含みスナップフィット本体上に配置されているスナップ嵌め部によって、配線スナップフィットはセパレータと取り外し可能に接続され、それによって、配線スナップフィットは再使用可能であり、配線スナップフィットを容易に組み立ておよび分解することができ、保守管理費用および時間も低減することができる。
【０００８】
本開示の実施形態の追加の態様および利点が、以下の説明において部分的に与えられ、以下の説明から部分的に明らかになり、または、本開示の実施形態の実践から学習される。
【０００９】
本開示の実施形態のこれらのおよび他の態様および利点が、添付の図面を参照して行われ以下の説明から明らかになり、より容易に諒解される。
【図面の簡単な説明】
【００１０】
【図１】本開示の一実施形態による組み立て済み電源電池モジュールの概略図である。
【図２】別の方向からの図１に示されている電源電池モジュールの概略図である。
【図３】図１に示す電源電池モジュールの電池収容アセンブリと電池との間の組み立て関係を示す概略図である。
【図４】図１に示す電源電池モジュールのセパレータ間の組み立て関係を示す概略図である。
【図５】図４内の領域Ａの拡大図である。
【図６】図１に示す電源電池モジュールのセパレータの斜視図である。
【図７】本開示の別の実施形態による電源電池モジュールの概略図である。
【図８】左カバーおよび右カバーのない図７に示されている電源電池モジュールの概略図である。
【図９】本開示のさらなる実施形態による電池収容アセンブリと電池との間の組み立て関係を示す概略図である。
【図１０】図９に示す領域Ｂの拡大図である。
【図１１】図９に示す電源電池モジュールのセパレータの斜視図である。
【図１２】図９に示す電源電池モジュールの電池収容アセンブリのセパレータと絶縁板または導熱板との間の組み立て関係を示す概略図である。
【図１３】図９に示す電源電池モジュールのスナップフィットピンの斜視図である。
【図１４】図１３に示す領域Ｃの拡大図である。
【図１５】本開示の一実施形態による配線スナップフィットの斜視図である。
【図１６】本開示の別の実施形態による配線スナップフィットの斜視図である。
【図１７】本開示のさらなる実施形態による配線スナップフィットの斜視図である。
【図１８】本開示の一実施形態による配線スナップフィットとセパレータとの間の組み立て関係を示す概略図である。
【図１９】図１８に示す領域Ｄの拡大図である。
【図２０】本開示の一実施形態による電源電池モジュールの電池群の概略図である。
【図２１】本開示の一実施形態による電源電池モジュールの電池群と電源接続部材との間の接続関係を示す概略図である。
【図２２】本開示の一実施形態による信号接続部材と電源接続部材との間の接続関係を示す概略図である。
【発明を実施するための形態】
【００１１】
本開示の実施形態を詳細に参照する。同じまたは同様の要素、および、同じまたは同様の機能を有する要素は、本明細書全体を通じて同様の参照符号によって示されている。図面を参照して本明細書において説明されている実施形態は説明的な、実例のものであり、本開示を全般的に理解するために使用される。実施形態は、本開示を限定するものとして解釈されるべきではない。
【００１２】
本明細書において、「中央（ｃｅｎｔｒａｌ）」、「長手方向（ｌｏｎｇｉｔｕｄｉｎａｌ）」、「側方（ｌａｔｅｒａｌ）」、「前方（ｆｒｏｎｔ）」、「後方（ｒｅａｒ）」、「右（ｒｉｇｈｔ）」、「左（ｌｅｆｔ）」、「内側（ｉｎｎｅｒ）」、「外側（ｏｕｔｅｒ）」、「下側（ｌｏｗｅｒ）」、「上側（ｕｐｐｅｒ）」、「水平（ｈｏｒｉｚｏｎｔａｌ）」、「垂直（ｖｅｒｔｉｃａｌ）」、「上方（ａｂｏｖｅ）」、「下方（ｂｅｌｏｗ）」、「上（ｕｐ）」、「上部（ｔｏｐ）」、「下部（ｂｏｔｔｏｍ）」、「内側（ｉｎｎｅｒ）」、「外側（ｏｕｔｅｒ）」、「時計回り（ｃｌｏｃｋｗｉｓｅ）」、「反時計回り（ａｎｔｉｃｌｏｃｋｗｉｓｅ）」のような相対的な用語およびそれらの派生語（たとえば、「水平に（ｈｏｒｉｚｏｎｔａｌｌｙ）」、「下向きに（ｄｏｗｎｗａｒｄｌｙ）」、「上向きに（ｕｐｗａｒｄｌｙ）」など）は、そのとき説明されているものとしての、または、説明されている図面内で示されているものとしての向きを指すものとして解釈されるべきである。これらの相対的な用語は、説明の便宜上のものであり、本開示が特定の向きにおいて構成または操作されることを必要としない。
【００１３】
加えて、「第１の」および「第２の」のような用語は、本明細書において、説明を目的としたものであり、相対的な重要性または重大性を指示または暗示するようには意図されていない。したがって、「第１の」および「第２の」によって限定される特徴は、１つまたは２つ以上のこれらの特徴が含まれることを指示または暗示するように意図されている。本開示の説明において、「複数の」とは、２つまたは３つ以上に関係する。
【００１４】
本開示の説明において、別途指定または限定されていないかぎり、「取り付けられている（ｍｏｕｎｔｅｄ）」、「接続されている（ｃｏｎｎｅｃｔｅｄ）」、「結合されている（ｃｏｕｐｌｅｄ）」および「締結されているｆａｓｔｅｎｅｄ）」という用語は、２つの要素間の永続的な接続または取り外し可能な接続、電気的接続または機械的接続、直接接続、または、介在する内部連通もしくは相互作用を介した間接接続のように、広範に理解され得ることが留意されるべきである。当業者であれば、特定の状況による本開示内の特定の意図を理解するはずである。
【００１５】
本開示の説明において、第１の特徴が第２の特徴の「上（ｏｎ）」にある構造は、別途指定しないかぎり、第１の特徴が第２の特徴に直に接している実施形態を含むことができ、また、第１の特徴と第２の特徴との間に追加の特徴が形成されており、それによって、第１の特徴が第２の特徴に直に接していない実施形態をも含むことができる。さらに、第２の特徴の「上（ｏｎ）」、「上方（ａｂｏｖｅ）」または「上部（ｏｎ  ｔｏｐ  ｏｆ）」にある第１の特徴は、  第１の特徴が第２の特徴のまさに「上」、「上方」または「上部」にある実施形態を含むことができ、また、第１の特徴が第２の特徴のまさに「上」、「上方」または「上部」にはない実施形態を含むこともでき、すなわち、第１の特徴が第２の特徴の海抜高度よりも高い海抜高度を有することを意味しているにすぎない。一方、第２の特徴の「下（ｂｅｎｅａｔｈ）」、「下方（ｂｅｌｏｗ）」または「下部（ｏｎ  ｂｏｔｔｏｍ  ｏｆ）」にある第１の特徴は、第１の特徴が第２の特徴のまさに「下」、「下方」または「下部」にある実施形態を含むことができ、また、第１の特徴が第２の特徴のまさに「下」、「下方」または「下部」にはない実施形態を含むこともでき、すなわち、第１の特徴が第２の特徴の海抜高度よりも低い海抜高度を有することを意味しているにすぎない。
【００１６】
本開示の実施形態による電源電池モジュール１０００を、図１〜図２２を参照して以下に説明する。電源電池モジュール１０００は、電気車両の電源としての役割を果たし、したがって、その性能および安全性が、電気車両全体の重要なファクタとなる。
【００１７】
図１〜図２２に示すように、本開示の実施形態による電源電池モジュール１０００は、電池収容アセンブリ１００と、電池群と、電源接続部材４０７と、電源接続配線４０７１と、配線スナップフィット２００とを含む。電池収容アセンブリ１００は、複数のセパレータ１０を有し、セパレータ１００の各々は、セパレータ本体１１と、左カバー１２と、右カバー１３とを含む。セパレータ本体１１は、互いに対向している前部および後部を有し、前方収容溝１４がセパレータ本体１１の前部内に形成されている。詳細には、前方収容溝１４は、セパレータ本体１１の前部から後ろ向きに延伸するように構成されている。本開示のいくつかの実施形態において、複数のセパレータ１０が、前後方向において互いに平行に配置されている。
【００１８】
スナップ嵌め孔１１２３が、前方収容溝１４の上壁および下壁のうちの少なくとも一方の中に形成されている。左カバー１２がセパレータ本体１１の左端に配置されており、右カバー１３がセパレータ本体１１の右端に配置されている。隣接するセパレータ１０は互いに取り外し可能に接続されており、隣接するセパレータ１０のうちの一方の前方収容溝１４、および、隣接するセパレータ１０のうちの他方のセパレータ本体１１の後部が、電池室を画定する。
【００１９】
電池群は、対応して電池室内に収容される複数の電池１０１を含み、すなわち、１つの電池１０１が１つの電池室内に収容され、電池１０１の各々は、電極端子４１１を有する。電源接続部材４０７は、隣接する電池１０１の電極端子４１１と接続される。電源接続配線４０７１は、電源接続部材４０７と接続される。
【００２０】
配線スナップフィット２００は、スナップフィット本体２１０と、スナップ嵌め部２２０とを含む。スナップフィット本体２１０は配線溝２１１を画定し、電源接続配線４０７１は配線溝２１１を通過し、配線溝２１１内に受け入れられる。配線溝２１１は、スナップフィット本体２１０の長さ方向においてスナップフィット本体２１０を貫通し、スナップ嵌め部２２０は、スナップフィット本体２１０の外部に配置されており、配線スナップフィット２００をセパレータ１０に締結するためにスナップ嵌め孔１１２３内にスナップ嵌めされるように構成されている配線クラスプ２２１を有する。すなわち、スナップ嵌め部２２０は、スナップフィット本体２１０をセパレータ１０に締結するように構成されている配線クラスプ２２１を含み、配線クラスプ２２１は、スナップフィット本体２１０をセパレータ１０に締結するために、スナップ嵌め孔１１２３内にスナップ嵌めされるように適合されている。したがって、配線スナップフィット２００はセパレータ本体１１上に取り外し可能に配置され、それによって、配線またはワイヤが振動するのを防止することができ、構造が安定する。
【００２１】
配線スナップフィット２００は、配線またはワイヤを締結する効果を有することができる、すなわち、電池１０１と接続されている電源接続配線４０７１を、配線スナップフィット２００によって整然と整頓して電池収容アセンブリ１００上に収めることができ、したがって、電源電池モジュール１０００の信頼性が向上する。
【００２２】
隣接するセパレータ１０は互いに取り外し可能に接続されるため、実際の要件に従って任意の数のセパレータ１０をともに接続することができ、それによって、任意の数の電池１０１を、複数の異なるパラメータを有する電源電池モジュール１０００の要件を満たすために利用することができる、すなわち、電源電池モジュール１０００は、実際の要件に従って自由に拡大および展開することができる。たとえば、電池収容アセンブリ１００が電池１０１を収容する容量は、セパレータ１０の数を増大させることによって向上することができる。言い換えれば、セパレータ１０の数を増大させることによって、電源電池モジュール１０００内の電池室の数も増大させることができ、それによって、より多くの収容空間を、電源電池モジュール１０００内の追加の電池１０１のために提供することができる。
【００２３】
したがって、電池１０１を収容するように構成されている電池室を画定し、互いに取り外し可能に接続されている、隣接するセパレータ１０によって、本開示の実施形態による電源電池モジュール１０００は、電池１０１の数を自由に拡大することができ、実際の要件に従って、電池の複数の異なる接続様式（電池１０１の直列接続、並列接続および直列−並列接続）に適合することができる。加えて、配線スナップフィット２００によって、電源接続配線４０７１（配線またはワイヤ）を、効率的かつ簡便に配線溝２１１内に収めることができ、配線またはワイヤが、使用過程において振動することを防止することができ、配線またはワイヤと周囲の構造との間の摩擦を低減して、電源電池モジュール１０００の安全性能を増大させることができる。その上、配線クラスプ２２１を含みスナップフィット本体２１０上に配置されているスナップ嵌め部２２０によって、配線スナップフィット２００はセパレータ１０と取り外し可能に接続され、それによって、配線スナップフィット２００は再使用可能であり、配線スナップフィット２００を組み立ておよび分解することが容易になり、保守管理費用および時間も低減することができる。
【００２４】
本開示のいくつかの実施形態において、電源電池モジュール１０００は、電極端子４１１と接続されている信号収集配線４０２１と、信号収集配線４０２１と接続されている信号収集部材４０２とをさらに含む。信号収集配線４０２１は配線溝２１１を通過し、配線溝２１１内に受け入れられる。
【００２５】
本開示のいくつかの実施形態において、電池室の左壁および右壁のうちの少なくとも一方の中に貫通孔が形成され得る。貫通孔は、電池室を通過する電極の出口としての役割を果たし、電池１０１間の接続を容易にするように、貫通孔を介して電池１０１の正電極および負電極が、外部に延伸し得る。代替的に、貫通孔は、防爆弁の位置決め孔６２１、または、それを介して防爆液を電池室内に注入することができる注入孔としての役割を果たしてもよい。すなわち、貫通孔の機能は、電源電池モジュール１０００の機能開発を促進するように、実際の要件に応じて決定することができる。
【００２６】
代替的に、互いに対向している２つの切り欠きが、それぞれ隣接するセパレータ１０内に形成されてもよく、２つの切り欠きが貫通孔を形成する。本開示の一実施形態において、貫通孔の断面は、円形、楕円形、多角形または不規則形状であってもよい。
【００２７】
代替的に、複数の貫通孔が配置され、上下方向において互いから離間される、すなわち、複数の切り欠きが１つのセパレータ１０内に形成されて、上下方向において互いから離間されてもよい。
【００２８】
詳細には、前方収容溝１４は、セパレータ本体１１の前部から後ろ向きに延伸するように構成されている。前方収容溝１４の左壁および右壁のうちの少なくとも一方の中に前方切り欠き１４１が形成され、隣接するセパレータ１０のうちの一方の前方収容溝１４、および、隣接するセパレータ１０のうちの他方のセパレータ本体１１の後部が、電池室を画定する。隣接するセパレータ１０のうちの一方の前方切り欠き１４１、および、隣接するセパレータ１０のうちの他方のセパレータ本体１１の後部が、貫通孔を画定する。言い換えれば、電池１０１の収容溝は各セパレータ１０の前部内にのみ形成され、第１のセパレータ１０の前方収容溝１４、および、第１のセパレータ１０に隣接する第２のセパレータ１０の後部が、電池１０１を収容するための電池室を画定する。それゆえ、セパレータ１０は、より単純な構造を有し、製造することが容易である。
【００２９】
いくつかの実施形態において、各セパレータの後部が後方収容溝を画定することができ、前方切り欠き１４１に対応する後方切り欠き１５１を、後方収容溝の左壁および右壁のうちの少なくとも一方の中に形成することができる。隣接するセパレータ１０のうちの一方の前方収容溝１４、および、隣接するセパレータ１０のうちの他方の後方収容溝によって電池室を画定することができ、隣接するセパレータ１０のうちの一方の前方切り欠き１４１、および、隣接するセパレータ１０のうちの他方の後方切り欠き１５１によって、貫通孔を画定することができる。それゆえ、電池１０１を収容するためのより多くの空間を有するために、前方収容溝１４および後方収容溝によって電池室が画定される。各セパレータ１０の前部および後部の構造は互いに同一であってもよく、それによって、セパレータ１０は、対称構造を有することができる。
【００３０】
代替的に、前方切り欠き１４１および後方切り欠き１５１は、半円形状を有するように構成されてもよく、したがって、前方切り欠き１４１および後方切り欠き１５１によって画定される貫通孔は、円形断面を有することができる。本開示の一実施形態において、セパレータ１０の各々は同じ構造を有することができ、それによって、複数のセパレータ１０を同じ型セットによって製造することができ、したがって、費用が節約され、電源電池モジュール１０００の組み立ておよび量産が促進される。
【００３１】
図４および図６に示すように、セパレータ１０の各々は、上下方向に配列されている２つの前方収容溝１４、および、上下方向に、前方収容溝１４に対して１対１対応で配列されている２つの後方収容溝を含む。２つの前方収容溝１４は前方分離板１１１０によって互いから分離されており、２つの後方収容溝は、後方分離板１１０１によって互いから分離されている。それゆえ、２つのセパレータ１０の間に２つの電池１０１を収容するための２つの電池室が形成され、したがって、電池１０１を収容するための電池収容アセンブリ１００の容量がさらに向上し、電源電池モジュール１０００のコンパクトな構造が保証される。２つの隣接するセパレータ１０の間に形成され、上下方向において互いから離間される２つの電池室は例示にすぎず、限定ではないことを、当業者であれば理解することができる。言い換えれば、３つまたは４つ以上の電池室のような、より多くの電池室が隣接するセパレータ１０の間に形成されてもよく、したがって、より多くの電池１０１を電池収容アセンブリ１００内に配置することができ、それによって、電源電池モジュール１０００は、使用することが容易であり、高い拡張性を有する。本開示の一実施形態において、互いに対応する前方分離板１１１０および後方分離板１１０１は一体的に形成され、したがって、セパレータ１０の強度が増強される。
【００３２】
図６、図１１および図１２に示すように、セパレータ本体１１は、垂直板１１１と、上側フレームプレート１１２と、下側フレームプレート１１３と、左プレート１１４と、右プレート１１５とを含む。上側フレームプレート１１２は垂直板１１１の上縁に配置され、下側フレームプレート１１３は垂直板１１１の下縁に配置され、左プレート１１４は垂直板１１１の左端に配置され、上側フレームプレート１１２と接続されている上端、および下側フレームプレート１１３と接続されている下端を有し、右プレート１１５は垂直板１１１の右端に配置され、上側フレームプレート１１２と接続されている上端、および下側フレームプレート１１３と接続されている下端を有する。
【００３３】
前方収容溝１４および後方収容溝の各々は、垂直板１１１、上側フレームプレート１１２、下側フレームプレート１１３、左プレート１１４および右プレート１１５によって画定される。それゆえ、セパレータ本体１１は、より単純な構造を有し、製造することが容易である。本開示の一実施形態において、セパレータ１０は一体的に形成されてもよく、すなわち、垂直板１１１、上側フレームプレート１１２、下側フレームプレート１１３、左プレート１１４および右プレート１１５は一体的に形成されてもよく、それによって、垂直板１１１、上側フレームプレート１１２、下側フレームプレート１１３、左プレート１１４および右プレート１１５の間の接続強度が向上し、したがって、セパレータ１０の構造強度が向上する。さらに、電池１０１のための電池収容アセンブリ１００の保護が改善される。
【００３４】
代替的に、前方切り欠き１４１が、左プレート１１４および右プレート１１５の各々の前縁に形成されてもよく、後方切り欠き１５１が、左プレート１１４および右プレート１１５の各々の後縁に形成されてもよい。言い換えれば、電池室のそれぞれ左側と右側に貫通孔が形成されてもよく、それによって、電池１０１の電極を、貫通孔を介して電池室の外部に延伸することができる。防爆弁の位置決め孔６２１、注入孔および電極のための貫通孔の位置は、電池１０１の構造に従って配置することができる。複数の前方切り欠き１４１が配置されて、上下方向において互いから離間され、複数の後方切り欠き１５１が配置されて、上下方向において互いから離間される、すなわち、電池室の左側と右側の両方に、複数の貫通孔が形成される。
【００３５】
加えて、電源電池モジュール１０００が正常に機能するとき、電池室の周壁と電池１０１との間の間隙が形成され得、それによって、電池１０１を電源電池１０００内の空気によって冷却することができる。電源電池モジュール１０００の電池１０１内に異常な状態があるとき、たとえば、電池１０１が膨張しているとき、電池室の周壁と電池１０１との間の間隙が、電池１０１の、厚さ方向における変形を許容することができ、したがって、電源電池モジュール１０００の安全性が向上する。
【００３６】
前方収容溝１４および後方収容溝のうちの少なくとも一方の下壁には環状段部１４２が配置される。本開示の一実施形態において、環状段部１４２は、前方収容溝１４および後方収容溝の各々の下壁に配置される。環状段部１４２を配置することによって、前方収容溝１４および後方収容溝の下壁を、電池１０１の外面から分離することができ、したがって、電池室の周壁と電池１０１との間の間隙が確保される。
【００３７】
代替的に、前方収容溝１４および後方収容溝のうちの少なくとも一方の下壁の表面が、下壁の周縁から下壁の中心へと下向きに傾けられる。本開示の一実施形態において、前方収容溝１４および後方収容溝の各々の下壁の表面が、下壁の周縁から下壁の中心へと下向きに傾けられ、したがって、電池室の周壁と電池１０１との間の間隙が確保される。前方収容溝１４および後方収容溝の下壁の表面は、垂直板１１１の表面であってもよいことが留意されるべきである。
【００３８】
安全性および信頼性の要件を満たすために、セパレータ１０は、ＰＰＯ（ポリ（フェニレンオキシド））、ＰＰ（ポリプロピレン）、ＰＥＴ（ポリエチレンテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それゆえ、本開示の実施形態によるセパレータ１０は、高い強度を有し、電源電池モジュール１０００に対する衝突のような異常な状態において、電池１０１を効果的に保護することができる。たとえば、セパレータ本体１１は、全体を射出成形によって形成することができ、射出成形の間にこれらの材料内に金属を埋め込むことができ、それによって、セパレータ１０の構造強度がさらに向上する。その上、セパレータ１０は射出成形後に直に離型することができ、それによって、セパレータ１０は簡便に製造することができ、費用が節約される。
【００３９】
図１２に示すように、上側フレームプレート１１２および下側フレームプレート１１３の各々の前側端に前方段部１１８が配置され、上側フレームプレート１１２および下側フレームプレート１１３の各々の後側端に後方段部１１９が配置される。複数のセパレータ１０がともに組み立てられるとき、隣接するセパレータ１０のうちの一方の上側フレームプレート１１２の前側端に配置されている前方段部１１８が、隣接するセパレータ１０のうちの他方の上側フレームプレート１１２の後側端に配置されている後方段部１１９と重ね合わされる。同様に、隣接するセパレータ１０のうちの一方の下側フレームプレート１１３の前側端に配置されている前方段部１１８が、隣接するセパレータ１０のうちの他方の下側フレームプレート１１３の後側端に配置されている後方段部１１９と重ね合わされる。したがって、電池収容アセンブリ１００の外観は美的であり、隣接するセパレータ１０を互いに近密に接続することができる。その上、電源電池モジュール１０００の組み立て効率が向上し、電源電池モジュール１０００の製造費用が低減する。本開示の一実施形態において、前方段部１１８は下向きに面することができ、後方段部１１９は上向きに面することができ、それによって、対応する前方段部１１８と後方段部１１９とが互いにより良好にフィットすることができる。
【００４０】
図１２に示すような本開示の一実施形態において、前方段部１１８は、下向きに面する第１の前方段部セグメント１１８１、および上向きに面する第２の前方段部セグメント１１８２を含み、後方段部１１９は、上向きに面し、第１の前方段部セグメント１１８１に対応する第１の後方段部セグメント、および、下向きに面し、第２の前方段部セグメント１１８２に対応する第２の後方段部セグメント１１９１を含む。それゆえ、隣接するセパレータ１０を、互いにより近密に組み立てることができ、それによって、より良好な組み立て効果を達成することができる。その上、前方段部１１８および後方段部１１９をそれぞれ２つのセグメントに分割することによって、前方段部１１８と後方段部１１９との間の接続に起因して、隣接するセパレータ１０同士をともに組み立て、互いに対して位置付けることができ、隣接するセパレータ１０間の接続が安定する。
【００４１】
本開示のいくつかの実施形態において、前方収容溝１４を後方収容溝と連通させるために窓１１１１を垂直板１１１内に形成することができる、すなわち、前方収容溝１４および後方収容溝が互いに連通する。言い換えれば、垂直板１１１は、前後方向に貫通される構造として構成され、それによって、製造材料が節約され、費用が低減する。
【００４２】
絶縁板１６または導熱板１７が窓１１１１の中に配置され得る。絶縁板１６を配置することによって、隣接する電池１０１間の絶縁性を向上させることができ、それによって、電源電池モジュール１０００の安全性能を増大させることができる。導熱板１７を配置することによって、電池室内の電池１０１の放熱効果を向上させることができ、それによって、電源電池モジュール１０００の安全性能も増大させることができ、電池１０１の可使時間を延長することができる。
【００４３】
詳細には、上側フレームプレート１１２内に挿入孔が形成され、挿入孔と位置合わせされた挿入溝が垂直板１１１内に形成され、絶縁板１６または導熱板１７が、挿入孔および挿入溝を介して窓１１１１内に挿入される。このように、絶縁板１６または導熱板１７をセパレータ１０に簡便に取り付けることができる。
【００４４】
図１〜図３、図６、図７、図９および図１１に示すように、本開示のいくつかの実施形態において、左カバー１２および右カバー１３を、セパレータ本体１１によって一体的に形成することができ、それによって、セパレータ本体１１と左カバー１２および右カバー１３との間の接続強度が向上し、左カバー１２および右カバー１３の複雑な組み立て工程を回避することができ、したがって、組み立て速度が増大する。
【００４５】
確実に、本開示はこれには限定されず、左カバー１２および右カバー１３は、それぞれセパレータ本体１１上に取り外し可能に配置されてもよい。言い換えれば、セパレータ本体１１、左カバー１２および右カバー１３は独立して製造されてもよく、その後、左カバー１２および右カバー１３は、接続構造を介してセパレータ本体１１上に配置される。それゆえ、セパレータ本体１１、左カバー１２および右カバー１３のうちの１つが損傷を受けると、アセンブリ全体を交換することなく、対応するものだけを交換すればよく、したがって、保守管理が容易になり、保守管理費用が節約される。
【００４６】
図６に示すような本開示の一実施形態において、カバー挿入スロット１１７をセパレータ本体１１内に形成することができ、カバー挿入スロット１１７内にスナップ嵌めされるカバークラスプ１３４を、左カバー１２および右カバー１３の各々に配置することができる。カバークラスプ１３４をカバー挿入スロット１１７内にスナップ嵌めすることによって、左カバー１２および右カバー１３がそれぞれセパレータ本体１１上に配置され、それによって、左カバー１２とセパレータ１０との間、および、右カバー１３とセパレータ１０との間の接続が単純になる。図６に示すように、カバークラスプ１３４は、左カバー１２および右カバー１３の上端および下端に配置することができ、それによって、左カバー１２および右カバー１３をセパレータ本体１１上に安定して配置することができる。
【００４７】
図１１に示すような本開示の別の実施形態において、上側フレームプレート１１２の左端が、左上延伸部１１２１を形成するように、左プレート１１４を越えて左向きに延伸され、下側フレームプレート１１３の左端が、左下延伸部１１３１を形成するように、左プレート１１４を越えて左向きに延伸され、上側フレームプレート１１２の右端が、右上延伸部１１２２を形成するように、右プレート１１５を越えて右向きに延伸され、下側フレームプレート１１３の右端が、右下延伸部１１３２を形成するように、右プレート１１５を越えて右向きに延伸される。その上、左上延伸部１１２１、左下延伸部１１３１、右上延伸部１１２２および右下延伸部１１３２の各々の中に、スナップ嵌めスロット１１６が形成される。対応して、左上延伸部１１２１のスナップ嵌めスロット１１６内にスナップ嵌めされる左上クラスプ１２１、および、左下延伸部１１３１のスナップ嵌めスロット１１６内にスナップ嵌めされる左下クラスプが左カバー１２の右面上に配置され、右上延伸部１１２２のスナップ嵌めスロット１１６内にスナップ嵌めされる右上クラスプ１３１、および、右下延伸部１１３２のスナップ嵌めスロット１１６内にスナップ嵌めされる右下クラスプ１３２が右カバー１３の左面上に配置される。それゆえ、左カバー１２および右カバー１３をセパレータ１０により簡便に配置することができる。
【００４８】
図１１に示すように、左上クラスプ１２１および左下クラスプは左カバー１２の右面上に配置することができ、右上クラスプ１３１および右下クラスプ１３２は右カバー１３の左面上に配置することができ、それによって、左カバー１２と左上クラスプ１２１および左下クラスプとの間、ならびに、右カバー１３と右上クラスプ１３１および右下クラスプ１３２との間の接続強度が向上する。
【００４９】
代替的に、左カバー１２および右カバー１３は、前後方向において、左プレート１１４および右プレート１１５の前後方向における幅以上であり、かつ上側フレームプレート１１２および下側フレームプレート１１３の前後方向における幅以下である幅を有する。左カバー１２および右カバー１３が、前後方向において、左プレート１１４および右プレート１１５の前後方向における幅よりも大きい幅を有するとき、隣接するセパレータ１０の左プレート１１４間、および、隣接するセパレータ１０の右プレート１１５間に間隙が形成され得、それによって、左カバー１２は、左プレート１１４間の間隙を被覆することができ、右カバー１３は、右プレート１１５間の間隙を被覆することができる。左カバー１２および右カバー１３が、前後方向において、左プレート１１４および右プレート１１５の前後方向における幅に等しい幅を有するとき、隣接するセパレータ１０の左プレート１１４は互いに近密に接し、隣接するセパレータ１０の右プレート１１５は互いに近密に接し、それによって、左プレート１１４、右プレート１１５、左カバー１２またはカバー１３は、電池１０１を適切に保護することができる。
【００５０】
左カバー１２および右カバー１３の安全性および信頼性の要件を満たすために、左カバー１２および右カバー１３は、ＰＰＯ（ポリ（フェニレンオキシド））、ＰＰ（ポリプロピレン）、ＰＥＴ（ポリエチレンテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それゆえ、左カバー１２および右カバー１３は高い強度、耐食性および良好な耐火性を有し、電源電池モジュール１０００に対する衝突のような異常な状態において、電池１０１を効果的に保護することができる。
【００５１】
図１〜図３および図７〜図９に示すように、本開示のいくつかの実施形態において、電池収容アセンブリ１００は、前方プレート２０をさらに含む。前方プレート２０は、その後部において後方溝２１を画定する。前方プレート２０の後方溝２１、および、複数のセパレータ１０のうちの最前方のセパレータ１０の前方収容溝１４が、最前方の電池室を画定する。前方プレート２０は最前方のセパレータ１０とスナップ嵌めされ、たとえば、前方プレート２０は、スナップ嵌め構造６０を介して最前方のセパレータ１０とスナップ嵌めされ得る。前方プレート２０はその前部に溝を画定しなくてもよく、それによって前方プレート２０は単純な構造を有し、製造することが容易になり、したがって、材料および空間が節約される。
【００５２】
対応して、電池収容アセンブリ１００は、後方プレート３０をさらに含む。後方プレート３０は、その前部において前方溝を画定する。前方溝、および、複数のセパレータ１０のうちの最後方のセパレータ１０の後方収容溝が、最後方の電池室を画定する。後方プレート３０は最後方のセパレータ１０とスナップ嵌めされ、たとえば、後方プレート３０は、上述のスナップ嵌め構造６０を介して最後方のセパレータ１０とスナップ嵌めされ得る。後方プレート３０はその後部に溝を画定しなくてもよく、それによって後方プレート３０は単純な構造を有し、製造することが容易であり、したがって、材料および空間が節約される。本開示の一実施形態において、左カバー１２が前方プレート２０の左側に配置されてもよく、右カバー１３が前方プレート２０の右側に配置されてもよく、左カバー１２が後方プレート３０の左側に配置されてもよく、右カバー１３が後方プレート３０の右側に配置されてもよく、それによって、前方プレート２０および後方プレート３０をより良好に保護することができる。
【００５３】
本開示のいくつかの実施形態において、スナップ嵌め孔１１２３が、前方収容溝１４および後方収容溝の上壁および下壁のうちの少なくとも１つの中に形成される。本開示の他の実施形態において、スナップ嵌め孔１１２３は、前方プレート２０の後部および後方プレート２０の後部のうちの少なくとも一方の中に形成される。
【００５４】
本開示の実施形態による配線スナップフィット２００を、図１５〜図１９を参照して以下に説明する。
【００５５】
スナップフィット本体２１０は実質的にアーチ形状を有するように構成される、すなわち、スナップフィット本体２１０の幅方向において、スナップフィット本体２１０の中央部は上向きに突出しており、スナップフィット本体２１０の２つの端部分は、スナップフィット本体２１０の中央部よりも下に位置する。開口部２１４が配線溝２１１の下端に形成され、それによって、配線またはワイヤを配線溝２１１内に下から上に挿入し、配線溝２１１内に収容することができる。したがって、配線またはワイヤをより容易に組み立てることができる。
【００５６】
本開示のいくつかの実施形態において、スナップ嵌め部２２０が、開口部２１４の２つの側部に配置される。したがって、配線スナップフィット２００をセパレータ１０により安定して締結することができる。本開示の他の実施形態において、スナップ嵌め部２２０は、開口部２１４の各側に配置され、開口部２１４の両側に配置されているスナップ嵌め部２２０は互いに対称である。すなわち、スナップフィット本体２１０の幅方向において、２つのスナップ嵌め部２２０は互いに対称であり、それによって、配線スナップフィット２００をセパレータ１０に、より安定して締結することができる。
【００５７】
本開示のいくつかの実施形態において、スナップ嵌め部２２０の第１の端部がスナップフィット本体２１０に接続され、配線クラスプ２２１がスナップ嵌め部２２０の第２の端部に配置される。図１５、図１６および図１７に示すように、スナップ嵌め部２２０の上端がスナップフィット本体２１０に接続され、配線クラスプ２２１がスナップ嵌め部２２０の下端に配置される。したがって、配線スナップフィット２００は単純な構造を有することができ、配線スナップフィット２００は容易に製造することができる。
【００５８】
本開示のいくつかの実施形態において、配線溝２１１は、配線を収容するように構成されている配線収容部２１１１と、配線収容部２１１１の下端に配置され、配線収容部２１１１と連通する遷移部２１１２とを含む。遷移部２１１２の側方サイズは配線収容部２１１１の側方サイズよりも小さく、遷移部２１１２の下端は開いている。詳細には、配線またはワイヤの組み立てにおいて、配線またはワイヤを遷移部２１１２の下端から配線収容部２１１１内に挿入することによって、配線またはワイヤは配線収容部２１１１内に受け入れることができる。
【００５９】
配線収容部２１１１のサイズは、配線またはワイヤを収容するために配線またはワイヤのサイズに一致すべきであることが留意されるべきである。本開示のいくつかの実施形態にいて、遷移部２１１２のサイズは、配線またはワイヤのサイズよりもわずかに小さい。したがって、配線またはワイヤが配線収容部２１１１内に収容されると、配線またはワイヤが相対的に小さい力で配線収容部２１１１から抜け落ちることを防止することができ、それによって、配線またはワイヤはより安定して組み立て、配線収容部２１１１内に収めることができる。遷移部２１１２の幅を大きくしすぎることはできず、さもなければ、遷移部２１１２が配線またはワイヤに対するその制限効果を失うおそれがあり、また、遷移部２１１２の幅は小さくしすぎることはできず、さもなければ、ワイヤまたはワイヤを配線収容部２１１１に収容することができないことが留意されるべきである。
【００６０】
本開示のいくつかの実施形態において、配線収容部２１１１の断面は、図１５、図１６および図１７に示すように、円形状を有するように構成されている。したがって、配線収容部２１１１の形状は、配線またはワイヤの形状に一致することができ、配線またはワイヤは配線収容部２１１１内に良好に収容することができる。本開示のいくつかの実施形態において、遷移部２１１２の断面は矩形形状を有するように構成されており、遷移部２１１２の幅は、配線収容部２１１１の直径よりも小さい。たとえば、配線収容部２１１１の直径対遷移部２１１２の幅の比は１．５：１．２であり、それによって、配線またはワイヤが配線収容部２１１１および遷移部２１１２によって効果的に収められ得ることを保証しながら、配線またはワイヤを遷移部２１１２から配線収容部２１１１内に円滑かつ容易に押し込むことができる。本開示のいくつかの実施形態において、遷移部２１１２の側方サイズは上から下に向けて漸進的に低減され、それによって、配線またはワイヤを配線収容部２１１１内により良好に収めることができる。
【００６１】
本開示のいくつかの実施形態において、配線収容部２１１２の断面は正方形形状を有するように構成されており、遷移部２１１１の断面は、矩形形状を有するように構成されている。したがって、遷移部２１１１の断面はより実際的な要件に適したものにすることができる。遷移部２１１１の断面はまた、配線またはワイヤの形状および組み立て要件に従って、楕円形状、多角形形状、不規則形状などを有するように構成することもできることが留意されるべきである。
【００６２】
本開示のいくつかの実施形態において、配線収容部２１１１の内壁面は、平滑な表面として構成され、配線収容部２１１１の端部にフィレットが形成される。したがって、配線またはワイヤの表面上の絶縁層が、配線またはワイヤと配線収容部２１１１との間の長期間にわたる摩擦に起因して摩耗することを防止することができ、したがって、配線またはワイヤの安全性能が向上する。
【００６３】
本開示のいくつかの実施形態において、図１７に示すように、配線溝２１１は、第１の配線溝２１１３および第２の配線溝２１１４を含み、スナップ嵌め部２２０は第１の配線溝２１１３の外壁面上に配置され、第１の配線溝２１１３および第２の配線溝２１１４の延伸方向は交差する。したがって、２方向に延伸する配線またはワイヤも配線スナップフィット２００によって締結することができ、したがって、配線スナップフィット２００の適用範囲を拡大することができ、配線またはワイヤを様々な方向に延伸することができる。本開示の１つの実施形態において、第１の配線溝２１１３は第２の配線溝２１１４に対して垂直であり、第２の配線溝２１１４と連通し、それによって、配線溝２１１をより容易に製造することができる。
【００６４】
本開示のいくつかの実施形態において、配線スナップフィット２００は、スナップ嵌め孔１１２３を介して、前方収容溝１４の上壁および下壁、ならびに、後方収容溝の上壁および下壁のうちの少なくとも１つに固定される。本開示の他の実施形態において、配線スナップフィット２００は、スナップ嵌め孔１１２３を介して、前方プレート２０の前部および後方プレート３０の後部のうちの少なくとも一方に固定される。本開示の１つの実施形態において、前方プレート２０の前部および後方プレート３０の後部に配置されている配線スナップフィット２００は、第１の配線溝２１１３および第２の配線溝２１１４を含む。
【００６５】
本開示のいくつかの実施形態において、スナップ嵌め部２２０のサイズは、長さ方向においてスナップフィット本体２１０のサイズよりも小さく、スナップ嵌め部２２０の端部の表面は、スナップフィット本体２１０の端部の表面と同一平面上にある。たとえば、図１５〜図１６に示すように、スナップ嵌め部２２０の下端の表面は、スナップフィット本体２１０の下端の表面と同一平面上にある。したがって、材料の消費率を低減することができ、配線スナップフィット２００は、単純かつ妥当な構造を有することができ、スナップ嵌め部２２０はセパレータ１０に容易に固定することができる。
【００６６】
本開示のいくつかの実施形態において、スナップ嵌め部２２０は、実質的にスナップフィット本体２１０と同じアーチ形状を有するように構成され、スナップ嵌め部２２０のサイズは、幅方向と上下方向の両方において、スナップフィット本体２１０のサイズよりも大きい。すなわち、幅方向において、スナップ嵌め部２２０のサイズはスナップフィット本体２１０のサイズよりも大きく、上下方向において、スナップ嵌め部２２０のサイズはスナップフィット本体２１０のサイズよりも大きい。言い換えれば、スナップ嵌め部２２０はスナップフィット本体２１０の外部に配置され、配線クラスプ２２１は幅方向においてスナップ嵌め部２２０の２つの端部に配置され、外向きに延伸する。したがって、配線クラスプ２２１は、配線スナップフィット２００とセパレータ１０との間の接続強度および安定性を向上させるために、セパレータ１０内のスナップ嵌め溝内に外向きに挿入することができる。
【００６７】
スナップ嵌め部２２０の配線クラスプ２２１のサイズは、配線スナップフィット２００とセパレータ１０との間の接続強度および安定性、ならびに、配線スナップフィット２００を組み立てる簡便性を考慮に入れて設計されるべきであることが留意されるべきである。たとえば、配線クラスプ２２１のサイズが小さすぎる場合、配線クラスプ２２１の引く力も小さくなり、それによって、配線スナップフィット２００とセパレータ１０との間の接続強度が低くなるおそれがあり、配線スナップフィット２００とセパレータ１０との間の接続が不安定になるおそれがあり（すなわち、配線クラスプ２２１が振動に起因して抜け落ちるおそれがある）、配線クラスプ２２１のサイズが大きすぎる場合、配線クラスプ２２１を容易に設置することができず、配線クラスプ２２１がくり返し組み立てられると、配線クラスプ２２１が破損するおそれがある。それゆえ、本開示のいくつかの実施形態において、配線スナップフィット２００とセパレータ１０との間の接続強度および安定性を保証するために、配線クラスプ２２１の延伸長さは約１ミリメートル〜約３ミリメートルであり、それによって、配線スナップフィット２００を容易に組み立て、容易に分解することができ、配線クラスプ２２１は良好な強度を有し、繰り返し組み立てられることに起因して破損しなくなる。
【００６８】
図１５および図１６に示すように、本開示のいくつかの実施形態において、スナップ嵌め部２２０は配線溝２１１の第１の端部に隣接して配置され、制限フランジ２１２が、配線溝２１１の第２の端部に配置される。すなわち、スナップ嵌め部２２０および制限フランジ２１２は、長さ方向においてスナップフィット本体２１０の２つの端部に配置される。制限フランジ２１２によって、配線スナップフィット２００の設置安定性をさらに向上させるために、長さにおける配線スナップフィット２００の自由度を制限することができる。
【００６９】
本開示のいくつかの実施形態において、複数の強化リブ２１３がスナップフィット本体２１０の外面およびスナップ嵌め部２２０の外面上に配置される。したがって、スナップフィット本体２１０およびスナップ嵌め部２２０の強度を増大させることができ、スナップフィット本体２１０およびスナップ嵌め部２２０の耐用年数を延長することができる。本開示のいくつかの実施形態において、強化リブ２１３の数は２〜６である。
【００７０】
本開示のいくつかの実施形態において、スナップフィット本体２１０とスナップ嵌め部２２０との間の接続強度を増大させるためにスナップフィット本体２１０およびスナップ嵌め部２２０は一体的に形成され、それゆえ、配線スナップフィット２００は安定した構造および長い耐用年数を有することができる。詳細には、スナップフィット本体２１０およびスナップ嵌め部２２０は射出成形によって形成することができ、スナップフィット本体２１０およびスナップ嵌め部２２０が成形された後、スナップフィット本体２１０およびスナップ嵌め部２２０は直に離型することができ、それゆえ、スナップフィット本体２１０およびスナップ嵌め部２２０を製造することが容易になり、費用がより低くなる。
【００７１】
配線スナップフィット２００の強度、耐食性および耐候性を向上させるために、配線スナップフィット２００は、ＰＰＯ（ポリ（フェニレンオキシド））、ＡＢＳ（アクリロニトリルブタジエンスチレン）、ＰＣ（ポリカーボネート）または内部に金属を埋め込まれているこれらの材料のような、高い強度、高い耐食性、大きい耐候性を有する材料から作製することができる。
【００７２】
図１〜図１２に示すように、本開示のいくつかの実施形態において、隣接するセパレータ１０はスナップ嵌め構造６０を介して互いに取り外し可能に接続され、それによって、電池収容アセンブリ１００を組み立て、分解することが簡便になり、組み立て工程が単純化され、組み立て効率が向上する。さらに、電源電池モジュール１０００について、その拡張性が向上し、その開発費用が低減し、その開発時間が短縮される。
【００７３】
本開示の実施形態によるスナップ嵌め構造６０を、図１〜図６を参照して説明する。
【００７４】
図１〜図６に示すように、スナップ嵌め構造６０は、隣接するセパレータ１０のうちの一方の中に形成されるスナップ嵌め溝６１と、隣接するセパレータ１０のうちの他方に配置され、隣接するセパレータ１０同士をともに締結するためにスナップ嵌め溝６１内に嵌まるように適合されているスナップ嵌め突出部６２とを含む。言い換えれば、スナップ嵌め構造６０はスナップ嵌め突出部６２およびスナップ嵌め溝６１を含むことができ、スナップ嵌め突出部６２は隣接するセパレータ１０のうちの一方に配置され、スナップ嵌め溝６１は隣接するセパレータ１０のうちの他方の中に形成され、隣接するセパレータ１０同士をともに締結するために、スナップ嵌め突出部６２とスナップ嵌めされる。
【００７５】
その上、位置決め孔６２１をスナップ嵌め突出部６２内に形成することができ、位置決めボス６１２がスナップ嵌め溝６１の下壁に配置され、位置決め孔６２１内にフィットする。詳細には、位置決めボス６１２は、スナップ嵌め突出部６２をスナップ嵌め溝６１内にスナップ嵌めするように、位置決め孔６２１内へと上向きに延伸しており、それによって、隣接するセパレータ１０を互いに接続することができる。それゆえ、隣接するセパレータ１０は単純な構造を有し、互いに容易に接続され、したがって、高い拡張性を提供する。その上、スナップ嵌め突出部６２およびスナップ嵌め溝６１はまた、複数のセパレータ１０を位置決めする機能をも有し、したがって、隣接するセパレータ１０間の位置決めが容易になり、組み立て速度が向上する。
【００７６】
図４〜図６に示すように、セパレータ１０は、上側フレームプレート１１２を含む。上側フレームプレート１１２は、セパレータ１０の上部に位置する。スナップ嵌め溝６１は上側フレームプレート１１２の前縁および後縁のうちの一方の中に形成され、スナップ嵌め突出部６２は、上側フレームプレート１１２の前縁および後縁のうちの他方に配置される。言い換えれば、セパレータ１０はスナップ嵌め溝６１とスナップ嵌め突出部６２の両方を有し、それによって、複数のセパレータ１０が一列に配列されると、複数のセパレータ１０を順次互いにスナップ嵌めすることができる。
【００７７】
代替的に、セパレータ１０は、下側フレームプレート１１３を含む。下側フレームプレート１１３は、セパレータ１０の下部に位置する。スナップ嵌め溝６１は下側フレームプレート１１３の前縁および後縁のうちの一方の中に形成され、スナップ嵌め突出部６２は、下側フレームプレート１１３の前縁および後縁のうちの他方に配置される。言い換えれば、スナップ嵌め構造６０は、セパレータ１０の上側フレームプレート１１２と下側フレームプレート１１３の両方に配置することができる。さらに、スナップ嵌め構造６０は、上側フレームプレート１１２にのみ配置することが、または、スナップ嵌め構造６０は、下側フレームプレート１１３にのみ配置することができ、または、スナップ嵌め構造６０は、同時に上側フレームプレート１１２および下側フレームプレート１１３に配置することができる。本開示の一実施形態において、スナップ嵌め構造６０は同時に上側フレームプレート１１２および下側フレームプレート１１３に配置され、それによって、隣接するセパレータ１０の上側部分が互いに接続され、隣接するセパレータの下側部分も互いに接続され、したがって、隣接するセパレータ１０間の接続強度および接続安定性が向上する。さらに、電池収容アセンブリ１００は、電池１０１をより確実に保護する。
【００７８】
複数のスナップ嵌め突出部６２をセパレータ１０の上側フレームプレート１１２に配置することができ、スナップ嵌め溝６２と１対１で対応している複数のスナップ嵌め溝６２を、セパレータ１０の上側フレームプレート１１２内に形成することができる。複数のスナップ嵌め突出部６２をセパレータ１０の下側フレームプレート１１３に配置することができ、スナップ嵌め溝６２と１対１で対応している複数のスナップ嵌め溝６２を、セパレータ１０の下側フレームプレート１１３内に形成することができる。それゆえ、隣接するセパレータ１０間の接続強度および接続安定性がさらに向上する。
【００７９】
図５に示すような本開示の一実施形態において、スナップ嵌め突出部６２は台形形状を有する、すなわち、上下方向に対して垂直な面内のスナップ嵌め突出部６２の突起は台形である。対応して、スナップ嵌め溝６１は、スナップ嵌め突出部にフィットする台形形状を有することができ、それによって、スナップ嵌め突出部６２は大きい構造強度を有する。確実に、本開示はこれには限定されず、スナップ嵌め突出部６２およびスナップ嵌め溝６１は、スナップ嵌め突出部６２をスナップ嵌め溝６１内に安定してスナップ嵌めすることができる限り、任意の他の形状を有してもよい。
【００８０】
図６に示すように、誘導スロープ６１１をスナップ嵌め溝６１の開口に形成することができ、誘導スロープ６１１は、スナップ嵌め溝６１２の内端からその開口へと下向きに傾斜するように構成されている。電池収容アセンブリ１００が組み立てられるとき、誘導スロープ６１１は、スナップ嵌め突出部６２の取り付けに対して誘導機能を実施する、すなわち、スナップ嵌め突出部６２は、誘導スロープ６１１を介してスナップ嵌め溝内に容易に挿入するように誘導され、したがって、組み立て速度が向上し、組み立て難度が低減する。
【００８１】
本開示の別の実施形態によるスナップ嵌め構造６０を、図７〜図１４を参照して以下に説明する。
【００８２】
図７〜図１４に示すように、スナップ嵌め構造６０は、スナップフィット溝６３およびスナップフィットピン６４を含むことができる。スナップフィット溝６３は、セパレータ１０内に形成され、スナップフィットピン６４は、セパレータ１０に対する取り外し可能部材であり、少なくとも２つの取り付け部６４１を含む。少なくとも２つの取り付け部６４１は、少なくとも２つのセパレータ１０を互いに接続するように、少なくとも２つのセパレータ１０のスナップフィット溝６３内にスナップ嵌めされる。言い換えれば、スナップフィットピン６４は、少なくとも２つの隣接するまたは隣接しないセパレータ１０を互いに接続することができる。スナップフィットピン６４を配置することによって、セパレータ１０同士をともに接続することが簡便になり、セパレータ１０を迅速に組み立てることが容易になり、様々な組み立て様式がもたらされる。
【００８３】
図１０および図１３に示すように、本開示のいくつかの実施形態において、スナップフィットピン６４は、接続ブリッジ６４２をさらに含むことができる。２つの取り付け部６４１がそれぞれ接続ブリッジ６４２の２つの端部に配置され、隣接するセパレータ１０を互いに接続するために隣接するセパレータ１０のスナップフィット溝６３内にフィットする。言い換えれば、スナップフィットピン６４は、隣接するセパレータ１０を互いに接続するのみであり得、それによって、スナップフィットピン６４は、相対的に小さい体積、および単純な構造を有することができる。それゆえ、電池収容アセンブリ１００のセパレータ１０間の接続構造は単純であり、セパレータ１０を組み立てることは簡便である。セパレータ１０を互いに接続するためにスナップフィットピン６４を使用することによって、電源電池モジュール１０００は、電池の実際の要件に従って任意の数のセパレータ１０を含むことができ、したがって、電源電池モジュール１０００の拡張性が向上する。
【００８４】
スナップフィット溝６３は開口部６３１を有し、隣接するセパレータ１０内のスナップフィット溝６３の開口部６３１は、接続ブリッジ６４２を受け入れるように互いに対向している。それゆえ、スナップフィットピン６４がセパレータ１０間に配置されると、スナップフィットピン６４の上面はセパレータ１０の上面と同一平面上になり、それによって、電池収容アセンブリ１００の外観は美的になり、スナップフィットピン６４はスナップフィット溝６３内に完全に埋め込まれ、したがって、外力に起因するスナップフィットピン６４への損傷が回避される。
【００８５】
本開示のいくつかの実施形態において、スナップフィット溝６３は隣接するセパレータ１０の上側フレームプレート１１２の各々の中に形成することができ、スナップフィットピン６４は、隣接するセパレータ１０を互いに接続するために、隣接するセパレータ１０の上側フレームプレート１１２間に配置することができる。
【００８６】
代替的に、スナップフィット溝６３は隣接するセパレータ１０の下側フレームプレート１１３の各々の中に形成することができ、スナップフィットピン６４は、隣接するセパレータ１０を互いに接続するために、隣接するセパレータ１０の下側フレームプレート１１３間に配置することができる。
【００８７】
本開示の一実施形態において、スナップフィットピン６４は、隣接するセパレータ１０の上側フレームプレート１１２間または隣接するセパレータ１０の下側フレームプレート１１２間にのみ配置されてもよい。代替的に、スナップフィットピン６４は、隣接するセパレータ１０の上側フレームプレート１１２間、および、隣接するセパレータ１０の下側フレームプレート１１３間に同時に配置されてもよい。それゆえ、電池収容アセンブリ１００の様々な取り付け要件を満たすために、セパレータ１０間の様々な接続様式がもたらされる。本開示の一実施形態において、スナップフィットピン６４は、隣接するセパレータ１０の上側フレームプレート１１２間、および、隣接するセパレータ１０の下側フレームプレート１１３間に同時に配置され、それによって、隣接するセパレータ１０の上側部分が互いに接続され、隣接するセパレータ１０の下側部分が互いに接続され、電池収容アセンブリ１００の構造が安定し、したがって、電池１０１のための電池収容アセンブリ１００のより確実な保護、および、電源電池モジュール１０００のより良好な安全性能がもたらされる。
【００８８】
代替的に、取り付け部６４１は、スナップフィット溝６３との締まりばめ係合を有することができ、または、取り付け部６４１は、ボルトを介してスナップフィット溝６３内に取り付けることができ、それによって、スナップフィットピン６４はセパレータ１０と近密に接続することができ、したがって、高い信頼性および高い接続強度がもたらされ、電源電池モジュール１０００の可使時間が向上する。
【００８９】
代替的に、取り付け部６４１は、円形状、台形形状または矩形形状を有するように構成されてもよい。言い換えれば、上下方向に対して垂直な面における取り付け部６４１の突起は、円形、台形または矩形であってもよい。対応して、スナップフィット溝６３も、取り付け部６４１と適合する円形状、台形形状または矩形形状を有するように構成される。それゆえ、取り付け部６４１の構造は様々であり、取り付け部６４１をセパレータ１０に組み付けることは簡便である。
【００９０】
本開示の一実施形態において、段部分６４１６が、取り付け部６４１の、スナップフィット溝６３に面する表面上に形成され、取り付け部６４１の段部分６４１６に対応する段部分６３２がスナップフィット溝６３内に形成され、それによって、取り付け部６４１はスナップフィット溝６３内により近密にフィットすることができ、スナップ嵌め構造６０がより安定し、電池収容アセンブリ１００の構造安定性がさらに向上する。
【００９１】
図１３および図１４に示すように、接続ブリッジ６４２は長手方向に延伸し、２つの取り付け部６４１は、長手方向において接続ブリッジ６４２の２つの端部に配置され、長手方向に対して垂直である、すなわち、取り付け部６４１は横方向に延伸する。言い換えれば、スナップフィットピン６４は、ほぼ「工」形状を有するように構成される。接続ブリッジ６４２の厚さ方向に延伸する複数の突出隆起部６４１１が、取り付け部６４１の外端面上で接続ブリッジ６４２から外方に配置される、すなわち、突出隆起部６４１１は垂直方向に延伸する。スナップフィットピン６４がセパレータ１０内に取り付けられているとき、取り付け部６４１はスナップフィット溝６３にフィットし、取り付け部６４１の外端面に配置されている突出隆起部６４１１が位置決めおよび誘導機能を実施し、それによって、スナップフィットピン６４を簡便に取り付けることができる。その上、スナップフィットピン６４の使用時間全体の間にスナップフィットピン６４を保持するように、突出隆起部６４１１とスナップフィット溝６３の壁との間に摩擦力を生成することができる。
【００９２】
本開示のいくつかの実施形態において、突出隆起部６４１１の断面は、弧形状を有するように構成される。代替的に、突出隆起部６４１１の一方の端部は、突出隆起部６４１１の他方の端部に向けて傾いたスロープ６４１２を有する、すなわち、図１４に示すように、垂直方向における突出隆起部６４１１の一方の端部（たとえば、上端）は、垂直方向において突出隆起部６４１１の他方の端部（たとえば、下端）に向けて傾いたスロープ６４１２を有する。代替的に、突出隆起部６４１１の他方の端部（たとえば、下端）の断面は、円形状を有するように構成されてもよい。それゆえ、使用中にスナップフィットピン６４を組み立てることが簡便であり、長手方向における力が突出隆起部６４１１とスナップフィット溝６３の壁との間に生成され得、それによって、スナップフィットピン６４が変形してスナップフィット溝６３から出ることが起こりにくくなる。確実に、本開示の一実施形態において、突出隆起部６４１１は、２つの取り付け部６４１の２つの対向する端面の各々に配置することができ、それによって、突出隆起部６４１１とスナップフィット溝６３の壁との間の摩擦力をさらに向上することができ、したがって、スナップフィットピン６４の接続強度がさらに増大する。
【００９３】
本開示の一実施形態において、２つの取り付け部６４１の少なくとも一方は、その厚さ方向を貫通する少なくとも１つの取り外し孔６４１３を有する。スナップフィットピン６４を取り付けるかまたは取り外すとき、操作者は、スナップフィットピン６４を取り付けるかまたは取り外すために取り外し孔６４１３を介してスナップフィットピン６４を保持することができ、それによって、スナップフィットピン６４を迅速に取り付けるかまたは取り外すことが容易かつ簡便になる。代替的に、取り外し孔６４１３にフィットする取り付けボスまたは取り付けピンのような取り付け部材（図示せず）が、スナップフィット溝６３の下壁に配置されてもよく、それによって、スナップフィットピン６４は、セパレータ１０上により安定して固定することができる。実際の組み立て要件に従って、１つまたは複数の取り外し孔６４１３を設けることができる。
【００９４】
図１３および図１４に示すように、取り付け部６４１は、その厚さにおいて外向きに延伸する基部６４１４を有する。言い換えれば、基部６４１４は長手方向に延伸し、基部６４１４の表面は、基部６４１４に対応する取り付け部６４１の表面よりも高い。基部６４１４は、基部６４１４に対応する取り付け部６４１の周縁に形成される。基部６４１４を配置することによって、取り付け部６４１の構造強度を増大させることができ、スナップフィットピン６４の強度も向上することができる。さらに、取り付け部６４１は容易には変形せず、セパレータ１０間のスナップフィットピン６４の接続強度が向上する。
【００９５】
代替的に、基部６４１４の延伸する厚さは１〜１０ｍｍであってもよい。本開示の一実施形態において、基部６４１４の延伸する厚さは１〜３ｍｍであり、それによって、基部６４１４は適切な厚さを有し、基部６４１４の材料を節約することができる。
【００９６】
代替的に、少なくとも１つの強化リブ６４２２が、接続ブリッジ６４２の表面上に形成される。強化リブ６４２２を配置することによって、接続ブリッジ６４２の構造強度が強化され、接続ブリッジ６４２は容易には変形せず、したがって、スナップフィットピン６４の可使時間が増大する。
【００９７】
本開示のいくつかの実施形態において、図１３に示すように、複数のボス６４２１が、横方向において接続ブリッジ６４２の２つの側面のうちの少なくとも一方に配置され、接続ブリッジ６４２の２つの側面のうちの少なくとも一方から外向きに突出する。複数のボス６４２１を配置することによって、スナップフィットピン６４とスナップフィット溝６３の壁との間の摩擦力が増大し、したがって、スナップフィットピン６４とセパレータ１０との間の接続強度がさらに増大する。
【００９８】
代替的に、ボス６４２１の各々は、実質的に半球形状を有するように構成され、それによって、スナップフィットピン６４は簡便に、スナップフィットピン６４の射出成形の間に離型することができる。ボス６４２１のサイズが小さすぎる場合、スナップフィットピン６４とスナップフィット溝６３の壁との間の摩擦力は十分でなく、ボス６４２１のサイズが大きすぎる場合、スナップフィット６４を離型することが困難であることが留意されるべきである。好ましくは、ボス６４２１の直径は１ｍｍ〜２ｍｍであり、すなわち、ボス６４２１の接続部と接続ブリッジ６４２との間の直径は１ｍｍ〜２ｍｍであり得、したがって、スナップフィットピン６４とスナップフィット溝６３の壁との間の摩擦力が保証され、スナップフィットピン６４の離型が容易になる。複数のボス６４２１は長手方向において互いから離間され、それによって、スナップフィットピン６４とスナップフィット溝６３の壁との間の摩擦力は均一になる。
【００９９】
スナップフィットピン６４の接続強度およびスナップフィット６４とセパレータ１０との間の協調を考慮すると、スナップフィットピン６４全体の厚さは８ｍｍ〜１５ｍｍであり得る。本開示の一実施形態において、スナップフィットピン６４全体の厚さは１０ｍｍ〜１３ｍｍである、すなわち、上下方向におけるスナップフィット６４の突出の厚さは１０ｍｍ〜１３ｍｍである。それゆえ、スナップフィットピン６４は十分な強度を有し、材料が節約され、スナップフィットピン６４をセパレータ１０に接続することが簡便かつ確実になる。
【０１００】
代替的に、スナップフィットピン６４はプラスチック成形部品またはプラスチック−金属混合成形部品である。たとえば、接続ブリッジ６４２、取り付け部６４１、突出隆起部６４１１、ボス６４２１および基部６４１４はプラスチック部品であり、射出成形によって一体的に形成され、これらのプラスチック部品を形成することは用意かつ簡便である。接続ブリッジ６４２、取り付け部６４１、突出隆起部６４１１、ボス６４２１および基部６４１４は、ＰＰＯ（ポリ（フェニレンオキシド））、ＰＰ（ポリプロピレン）、ＰＰＥ（ポリ（フェニルエーテル））、または内部に金属を埋め込まれているこれらの材料から作製することができる。それゆえ、これらの構成要素は、電源電池モジュール１０００の安全性能および信頼性の要件を満たす高い耐食性、大きい耐候性、良好な耐火性および高い絶縁性を有し、したがって、スナップフィットピン６４は高い構造強度を有する。
【０１０１】
本明細書全体を通じて「一実施形態（ａｎ  ｅｍｂｏｄｉｍｅｎｔ）」、「いくつかの実施形態（ｓｏｍｅ  ｅｍｂｏｄｉｍｅｎｔｓ）」、「１つの実施形態（ｏｎｅ  ｅｍｂｏｄｉｍｅｎｔ）」、「別の例（ａｎｏｔｈｅｒ  ｅｘａｍｐｌｅ）」、「一例（ａｎ  ｅｘａｍｐｌｅ）」、「特定の例（ａ  ｓｐｅｃｉｆｉｃ  ｅｘａｍｐｌｅ）」、または「いくつかの例（ｓｏｍｅ  ｅｘａｍｐｌｅｓ）」が参照されている場合、これは、その実施形態または例に関連して記載されている特定の特徴、構造、材料、または特性が、本開示の少なくとも１つの実施形態または例に含まれることを意味する。したがって、本明細書全体を通じた様々な箇所において「幾つかの実施形態において（ｉｎ  ｓｏｍｅ  ｅｍｂｏｄｉｍｅｎｔｓ）」、「１つの実施形態において、（ｉｎ  ｏｎｅ  ｅｍｂｏｄｉｍｅｎｔ）」、「一実施形態において（ｉｎ  ａｎ  ｅｍｂｏｄｉｍｅｎｔ）」、「別の例において（ｉｎ  ａｎｏｔｈｅｒ  ｅｘａｍｐｌｅ）」、「一例において（ｉｎ  ａｎ  ｅｘａｍｐｌｅ）」、「特定の例において（ｉｎ  ａ  ｓｐｅｃｉｆｉｃ  ｅｘａｍｐｌｅ）」、または「いくつかの例において（ｉｎ  ｓｏｍｅ  ｅｘａｍｐｌｅｓ）」のような語句が見られる場合、これは必ずしも本開示の同じ実施形態または例を参照しているとは限らない。さらに、１つもしくは複数の実施形態または例において、特定の特徴、構造、材料、または特性は、任意の適切な様式で組み合わされてもよい。
【０１０２】
説明的な実施形態が図示および説明されてきたが、上記実施形態は本開示を限定するように解釈されることはあり得ず、本開示の精神、原理および範囲から逸脱することなく実施形態に変更、代替、および修正を行うことができることが、当業者には諒解される。
【図１】
2017501552.tif 000003
【図２】
2017501552.tif 000004
【図３】
2017501552.tif 000005
【図４】
2017501552.tif 000006
【図５】
2017501552.tif 000007
【図６】
2017501552.tif 000008
【図７】
2017501552.tif 000009
【図８】
2017501552.tif 000010
【図９】
2017501552.tif 000011
【図１０】
2017501552.tif 000012
【図１１】
2017501552.tif 000013
【図１２】
2017501552.tif 000014
【図１３】
2017501552.tif 000015
【図１４】
2017501552.tif 000016
【図１５】
2017501552.tif 000017
【図１６】
2017501552.tif 000018
【図１７】
2017501552.tif 000019
【図１８】
2017501552.tif 000020
【図１９】
2017501552.tif 000021
【図２０】
2017501552.tif 000022
【図２１】
2017501552.tif 000023
【図２２】
2017501552.tif 000024
【手続補正書】
【提出日】平成28年8月31日(2016.8.31)
【手続補正１】
【補正対象書類名】明細書
【補正対象項目名】全文
【補正方法】変更
【補正の内容】
【発明の詳細な説明】
【技術分野】
【０００１】
本開示の実施形態は、概して電池の分野に関し、より詳細には、電源電池モジュールに関する。
【背景技術】
【０００２】
関連技術において、電源電池モジュールのほとんどは、マルチプレート構造または上下ハウジング構造を有する電池収容アセンブリを採用している。これらの構造は電池を良好に保護することができるが、マルチプレート構造および上下ハウジング構造の制限に起因して、電池の組み合わせモードを自由に拡大し展開することができない。電池の組み合わせモードが変化される必要があるとき、電池の新たな組み合わせ様式を再設計し再展開する必要があり、これは多くの時間を無駄にし、費用を大きく増大させる。また、マルチプレート構造および上下ハウジング構造を有する電池収容アセンブリは、電源電池モジュールの自動生産には適しておらず、したがって、電源電池モジュールの費用を増大させる。
【発明の概要】
【発明が解決しようとする課題】
【０００３】
本開示の実施形態は、関連技術に存在する問題のうちの少なくとも１つを少なくとも一定程度まで解決することを模索する。
【０００４】
したがって、本開示の目的は、電池の数を自由に拡大することができ、実際の要件に従って電池の複数の異なる接続様式に適合することができる電源電池モジュールを提供することである。
【課題を解決するための手段】
【０００５】
本開示の広範な態様の実施形態は、複数のセパレータを有する電池収容アセンブリと、電池群と、電源接続部材と、電源接続配線と、配線スナップフィットとを含む、電源電池モジュールを提供する。各セパレータは、前方収容溝を画定する前部および後部を有するセパレータ本体と、セパレータ本体の左端に配置されている左カバーと、セパレータ本体の右端に配置されている右カバーとを含む。隣接するセパレータは互いに取り外し可能に接続され、隣接するセパレータのうちの一方の前方収容溝、および、隣接するセパレータのうちの他方のセパレータ本体の後部が電池室を画定し、前方収容溝の上壁および下壁のうちの少なくとも一方の中にスナップ嵌め孔が形成される。電池群は、対応して電池室内に収容される複数の電池を含み、各電池は、電極端子を有する。電源接続部材は、隣接する電池の電極端子と接続される。電源接続配線は、電源接続部材と接続される。配線スナップフィットは、スナップフィット本体であって、スナップフィット本体の長さ方向においてスナップフィット本体を貫通する配線溝を画定する、スナップフィット本体と、スナップフィット本体の外部に配置されており、スナップフィット本体をセパレータに締結するためにスナップ嵌め孔内にスナップ嵌めされるように構成されている配線クラスプを有するスナップ嵌め部とを含む。電源接続配線は配線溝を通過し、配線溝内に受け入れられる。
【０００６】
互いに取り外し可能に接続されている電池および複数のセパレータを収容するための電池室を画定する隣接するセパレータによって、本開示の実施形態による電源電池モジュールは、電池の数を自由に拡大することができ、実際の要件に従って、電池の複数の異なる接続様式（直列接続、並列接続および直列−並列接続など）に適合することができる。加えて、配線スナップフィットによって、電源接続配線（配線またはワイヤ）を、効率的かつ簡便に配線溝内に収めることができ、配線またはワイヤが、使用過程において振動することを防止することができ、配線またはワイヤと周囲の構造との間の摩擦を低減して、電源電池モジュールの安全性能を向上させることができる。その上、配線クラスプを含みスナップフィット本体上に配置されているスナップ嵌め部によって、配線スナップフィットはセパレータと取り外し可能に接続され、それによって、配線スナップフィットは再使用可能であり、配線スナップフィットを容易に組み立ておよび分解することができ、保守管理費用および時間も低減することができる。
【０００７】
本開示の実施形態の追加の態様および利点が、以下の説明において部分的に与えられ、以下の説明から部分的に明らかになり、または、本開示の実施形態の実践から学習される。
【０００８】
本開示の実施形態のこれらのおよび他の態様および利点が、添付の図面を参照して行われ以下の説明から明らかになり、より容易に諒解される。
【図面の簡単な説明】
【０００９】
【図１】本開示の一実施形態による組み立て済み電源電池モジュールの概略図である。
【図２】別の方向からの図１に示されている電源電池モジュールの概略図である。
【図３】図１に示す電源電池モジュールの電池収容アセンブリと電池との間の組み立て関係を示す概略図である。
【図４】図１に示す電源電池モジュールのセパレータ間の組み立て関係を示す概略図である。
【図５】図４内の領域Ａの拡大図である。
【図６】図１に示す電源電池モジュールのセパレータの斜視図である。
【図７】本開示の別の実施形態による電源電池モジュールの概略図である。
【図８】左カバーおよび右カバーのない図７に示されている電源電池モジュールの概略図である。
【図９】本開示のさらなる実施形態による電池収容アセンブリと電池との間の組み立て関係を示す概略図である。
【図１０】図９に示す領域Ｂの拡大図である。
【図１１】図９に示す電源電池モジュールのセパレータの斜視図である。
【図１２】図９に示す電源電池モジュールの電池収容アセンブリのセパレータと絶縁板または導熱板との間の組み立て関係を示す概略図である。
【図１３】図９に示す電源電池モジュールのスナップフィットピンの斜視図である。
【図１４】図１３に示す領域Ｃの拡大図である。
【図１５】本開示の一実施形態による配線スナップフィットの斜視図である。
【図１６】本開示の別の実施形態による配線スナップフィットの斜視図である。
【図１７】本開示のさらなる実施形態による配線スナップフィットの斜視図である。
【図１８】本開示の一実施形態による配線スナップフィットとセパレータとの間の組み立て関係を示す概略図である。
【図１９】図１８に示す領域Ｄの拡大図である。
【図２０】本開示の一実施形態による電源電池モジュールの電池群の概略図である。
【図２１】本開示の一実施形態による電源電池モジュールの電池群と電源接続部材との間の接続関係を示す概略図である。
【図２２】本開示の一実施形態による信号接続部材と電源接続部材との間の接続関係を示す概略図である。
【発明を実施するための形態】
【００１０】
本開示の実施形態を詳細に参照する。同じまたは同様の要素、および、同じまたは同様の機能を有する要素は、本明細書全体を通じて同様の参照符号によって示されている。図面を参照して本明細書において説明されている実施形態は説明的な、実例のものであり、本開示を全般的に理解するために使用される。実施形態は、本開示を限定するものとして解釈されるべきではない。
【００１１】
本明細書において、「中央（ｃｅｎｔｒａｌ）」、「長手方向（ｌｏｎｇｉｔｕｄｉｎａｌ）」、「側方（ｌａｔｅｒａｌ）」、「前方（ｆｒｏｎｔ）」、「後方（ｒｅａｒ）」、「右（ｒｉｇｈｔ）」、「左（ｌｅｆｔ）」、「内側（ｉｎｎｅｒ）」、「外側（ｏｕｔｅｒ）」、「下側（ｌｏｗｅｒ）」、「上側（ｕｐｐｅｒ）」、「水平（ｈｏｒｉｚｏｎｔａｌ）」、「垂直（ｖｅｒｔｉｃａｌ）」、「上方（ａｂｏｖｅ）」、「下方（ｂｅｌｏｗ）」、「上（ｕｐ）」、「上部（ｔｏｐ）」、「下部（ｂｏｔｔｏｍ）」、「内側（ｉｎｎｅｒ）」、「外側（ｏｕｔｅｒ）」、「時計回り（ｃｌｏｃｋｗｉｓｅ）」、「反時計回り（ａｎｔｉｃｌｏｃｋｗｉｓｅ）」のような相対的な用語およびそれらの派生語（たとえば、「水平に（ｈｏｒｉｚｏｎｔａｌｌｙ）」、「下向きに（ｄｏｗｎｗａｒｄｌｙ）」、「上向きに（ｕｐｗａｒｄｌｙ）」など）は、そのとき説明されているものとしての、または、説明されている図面内で示されているものとしての向きを指すものとして解釈されるべきである。これらの相対的な用語は、説明の便宜上のものであり、本開示が特定の向きにおいて構成または操作されることを必要としない。
【００１２】
加えて、「第１の」および「第２の」のような用語は、本明細書において、説明を目的としたものであり、相対的な重要性または重大性を指示または暗示するようには意図されていない。したがって、「第１の」および「第２の」によって限定される特徴は、１つまたは２つ以上のこれらの特徴が含まれることを指示または暗示するように意図されている。本開示の説明において、「複数の」とは、２つまたは３つ以上に関係する。
【００１３】
本開示の説明において、別途指定または限定されていないかぎり、「取り付けられている（ｍｏｕｎｔｅｄ）」、「接続されている（ｃｏｎｎｅｃｔｅｄ）」、「結合されている（ｃｏｕｐｌｅｄ）」および「締結されているｆａｓｔｅｎｅｄ）」という用語は、２つの要素間の永続的な接続または取り外し可能な接続、電気的接続または機械的接続、直接接続、または、介在する内部連通もしくは相互作用を介した間接接続のように、広範に理解され得ることが留意されるべきである。当業者であれば、特定の状況による本開示内の特定の意図を理解するはずである。
【００１４】
本開示の説明において、第１の特徴が第２の特徴の「上（ｏｎ）」にある構造は、別途指定しないかぎり、第１の特徴が第２の特徴に直に接している実施形態を含むことができ、また、第１の特徴と第２の特徴との間に追加の特徴が形成されており、それによって、第１の特徴が第２の特徴に直に接していない実施形態をも含むことができる。さらに、第２の特徴の「上（ｏｎ）」、「上方（ａｂｏｖｅ）」または「上部（ｏｎ  ｔｏｐ  ｏｆ）」にある第１の特徴は、  第１の特徴が第２の特徴のまさに「上」、「上方」または「上部」にある実施形態を含むことができ、また、第１の特徴が第２の特徴のまさに「上」、「上方」または「上部」にはない実施形態を含むこともでき、すなわち、第１の特徴が第２の特徴の海抜高度よりも高い海抜高度を有することを意味しているにすぎない。一方、第２の特徴の「下（ｂｅｎｅａｔｈ）」、「下方（ｂｅｌｏｗ）」または「下部（ｏｎ  ｂｏｔｔｏｍ  ｏｆ）」にある第１の特徴は、第１の特徴が第２の特徴のまさに「下」、「下方」または「下部」にある実施形態を含むことができ、また、第１の特徴が第２の特徴のまさに「下」、「下方」または「下部」にはない実施形態を含むこともでき、すなわち、第１の特徴が第２の特徴の海抜高度よりも低い海抜高度を有することを意味しているにすぎない。
【００１５】
本開示の実施形態による電源電池モジュール１０００を、図１〜図２２を参照して以下に説明する。電源電池モジュール１０００は、電気車両の電源としての役割を果たし、したがって、その性能および安全性が、電気車両全体の重要なファクタとなる。
【００１６】
図１〜図２２に示すように、本開示の実施形態による電源電池モジュール１０００は、電池収容アセンブリ１００と、電池群と、電源接続部材４０７と、電源接続配線４０７１と、配線スナップフィット２００とを含む。電池収容アセンブリ１００は、複数のセパレータ１０を有し、セパレータ１００の各々は、セパレータ本体１１と、左カバー１２と、右カバー１３とを含む。セパレータ本体１１は、互いに対向している前部および後部を有し、前方収容溝１４がセパレータ本体１１の前部内に形成されている。詳細には、前方収容溝１４は、セパレータ本体１１の前部から後ろ向きに延伸するように構成されている。本開示のいくつかの実施形態において、複数のセパレータ１０が、前後方向において互いに平行に配置されている。
【００１７】
スナップ嵌め孔１１２３が、前方収容溝１４の上壁および下壁のうちの少なくとも一方の中に形成されている。左カバー１２がセパレータ本体１１の左端に配置されており、右カバー１３がセパレータ本体１１の右端に配置されている。隣接するセパレータ１０は互いに取り外し可能に接続されており、隣接するセパレータ１０のうちの一方の前方収容溝１４、および、隣接するセパレータ１０のうちの他方のセパレータ本体１１の後部が、電池室を画定する。
【００１８】
電池群は、対応して電池室内に収容される複数の電池１０１を含み、すなわち、１つの電池１０１が１つの電池室内に収容され、電池１０１の各々は、電極端子４１１を有する。電源接続部材４０７は、隣接する電池１０１の電極端子４１１と接続される。電源接続配線４０７１は、電源接続部材４０７と接続される。
【００１９】
配線スナップフィット２００は、スナップフィット本体２１０と、スナップ嵌め部２２０とを含む。スナップフィット本体２１０は配線溝２１１を画定し、電源接続配線４０７１は配線溝２１１を通過し、配線溝２１１内に受け入れられる。配線溝２１１は、スナップフィット本体２１０の長さ方向においてスナップフィット本体２１０を貫通し、スナップ嵌め部２２０は、スナップフィット本体２１０の外部に配置されており、配線スナップフィット２００をセパレータ１０に締結するためにスナップ嵌め孔１１２３内にスナップ嵌めされるように構成されている配線クラスプ２２１を有する。すなわち、スナップ嵌め部２２０は、スナップフィット本体２１０をセパレータ１０に締結するように構成されている配線クラスプ２２１を含み、配線クラスプ２２１は、スナップフィット本体２１０をセパレータ１０に締結するために、スナップ嵌め孔１１２３内にスナップ嵌めされるように適合されている。したがって、配線スナップフィット２００はセパレータ本体１１上に取り外し可能に配置され、それによって、配線またはワイヤが振動するのを防止することができ、構造が安定する。
【００２０】
配線スナップフィット２００は、配線またはワイヤを締結する効果を有することができる、すなわち、電池１０１と接続されている電源接続配線４０７１を、配線スナップフィット２００によって整然と整頓して電池収容アセンブリ１００上に収めることができ、したがって、電源電池モジュール１０００の信頼性が向上する。
【００２１】
隣接するセパレータ１０は互いに取り外し可能に接続されるため、実際の要件に従って任意の数のセパレータ１０をともに接続することができ、それによって、任意の数の電池１０１を、複数の異なるパラメータを有する電源電池モジュール１０００の要件を満たすために利用することができる、すなわち、電源電池モジュール１０００は、実際の要件に従って自由に拡大および展開することができる。たとえば、電池収容アセンブリ１００が電池１０１を収容する容量は、セパレータ１０の数を増大させることによって向上することができる。言い換えれば、セパレータ１０の数を増大させることによって、電源電池モジュール１０００内の電池室の数も増大させることができ、それによって、より多くの収容空間を、電源電池モジュール１０００内の追加の電池１０１のために提供することができる。
【００２２】
したがって、電池１０１を収容するように構成されている電池室を画定し、互いに取り外し可能に接続されている、隣接するセパレータ１０によって、本開示の実施形態による電源電池モジュール１０００は、電池１０１の数を自由に拡大することができ、実際の要件に従って、電池の複数の異なる接続様式（電池１０１の直列接続、並列接続および直列−並列接続）に適合することができる。加えて、配線スナップフィット２００によって、電源接続配線４０７１（配線またはワイヤ）を、効率的かつ簡便に配線溝２１１内に収めることができ、配線またはワイヤが、使用過程において振動することを防止することができ、配線またはワイヤと周囲の構造との間の摩擦を低減して、電源電池モジュール１０００の安全性能を増大させることができる。その上、配線クラスプ２２１を含みスナップフィット本体２１０上に配置されているスナップ嵌め部２２０によって、配線スナップフィット２００はセパレータ１０と取り外し可能に接続され、それによって、配線スナップフィット２００は再使用可能であり、配線スナップフィット２００を組み立ておよび分解することが容易になり、保守管理費用および時間も低減することができる。
【００２３】
本開示のいくつかの実施形態において、電源電池モジュール１０００は、電極端子４１１と接続されている信号収集配線４０２１と、信号収集配線４０２１と接続されている信号収集部材４０２とをさらに含む。信号収集配線４０２１は配線溝２１１を通過し、配線溝２１１内に受け入れられる。
【００２４】
本開示のいくつかの実施形態において、電池室の左壁および右壁のうちの少なくとも一方の中に貫通孔が形成され得る。貫通孔は、電池室を通過する電極の出口としての役割を果たし、電池１０１間の接続を容易にするように、貫通孔を介して電池１０１の正電極および負電極が、外部に延伸し得る。代替的に、貫通孔は、防爆弁の位置決め孔６２１、または、それを介して防爆液を電池室内に注入することができる注入孔としての役割を果たしてもよい。すなわち、貫通孔の機能は、電源電池モジュール１０００の機能開発を促進するように、実際の要件に応じて決定することができる。
【００２５】
代替的に、互いに対向している２つの切り欠きが、それぞれ隣接するセパレータ１０内に形成されてもよく、２つの切り欠きが貫通孔を形成する。本開示の一実施形態において、貫通孔の断面は、円形、楕円形、多角形または不規則形状であってもよい。
【００２６】
代替的に、複数の貫通孔が配置され、上下方向において互いから離間される、すなわち、複数の切り欠きが１つのセパレータ１０内に形成されて、上下方向において互いから離間されてもよい。
【００２７】
詳細には、前方収容溝１４は、セパレータ本体１１の前部から後ろ向きに延伸するように構成されている。前方収容溝１４の左壁および右壁のうちの少なくとも一方の中に前方切り欠き１４１が形成され、隣接するセパレータ１０のうちの一方の前方収容溝１４、および、隣接するセパレータ１０のうちの他方のセパレータ本体１１の後部が、電池室を画定する。隣接するセパレータ１０のうちの一方の前方切り欠き１４１、および、隣接するセパレータ１０のうちの他方のセパレータ本体１１の後部が、貫通孔を画定する。言い換えれば、電池１０１の収容溝は各セパレータ１０の前部内にのみ形成され、第１のセパレータ１０の前方収容溝１４、および、第１のセパレータ１０に隣接する第２のセパレータ１０の後部が、電池１０１を収容するための電池室を画定する。それゆえ、セパレータ１０は、より単純な構造を有し、製造することが容易である。
【００２８】
いくつかの実施形態において、各セパレータの後部が後方収容溝を画定することができ、前方切り欠き１４１に対応する後方切り欠き１５１を、後方収容溝の左壁および右壁のうちの少なくとも一方の中に形成することができる。隣接するセパレータ１０のうちの一方の前方収容溝１４、および、隣接するセパレータ１０のうちの他方の後方収容溝によって電池室を画定することができ、隣接するセパレータ１０のうちの一方の前方切り欠き１４１、および、隣接するセパレータ１０のうちの他方の後方切り欠き１５１によって、貫通孔を画定することができる。それゆえ、電池１０１を収容するためのより多くの空間を有するために、前方収容溝１４および後方収容溝によって電池室が画定される。各セパレータ１０の前部および後部の構造は互いに同一であってもよく、それによって、セパレータ１０は、対称構造を有することができる。
【００２９】
代替的に、前方切り欠き１４１および後方切り欠き１５１は、半円形状を有するように構成されてもよく、したがって、前方切り欠き１４１および後方切り欠き１５１によって画定される貫通孔は、円形断面を有することができる。本開示の一実施形態において、セパレータ１０の各々は同じ構造を有することができ、それによって、複数のセパレータ１０を同じ型セットによって製造することができ、したがって、費用が節約され、電源電池モジュール１０００の組み立ておよび量産が促進される。
【００３０】
図４および図６に示すように、セパレータ１０の各々は、上下方向に配列されている２つの前方収容溝１４、および、上下方向に、前方収容溝１４に対して１対１対応で配列されている２つの後方収容溝を含む。２つの前方収容溝１４は前方分離板１１１０によって互いから分離されており、２つの後方収容溝は、後方分離板１１０１によって互いから分離されている。それゆえ、２つのセパレータ１０の間に２つの電池１０１を収容するための２つの電池室が形成され、したがって、電池１０１を収容するための電池収容アセンブリ１００の容量がさらに向上し、電源電池モジュール１０００のコンパクトな構造が保証される。２つの隣接するセパレータ１０の間に形成され、上下方向において互いから離間される２つの電池室は例示にすぎず、限定ではないことを、当業者であれば理解することができる。言い換えれば、３つまたは４つ以上の電池室のような、より多くの電池室が隣接するセパレータ１０の間に形成されてもよく、したがって、より多くの電池１０１を電池収容アセンブリ１００内に配置することができ、それによって、電源電池モジュール１０００は、使用することが容易であり、高い拡張性を有する。本開示の一実施形態において、互いに対応する前方分離板１１１０および後方分離板１１０１は一体的に形成され、したがって、セパレータ１０の強度が増強される。
【００３１】
図６、図１１および図１２に示すように、セパレータ本体１１は、垂直板１１１と、上側フレームプレート１１２と、下側フレームプレート１１３と、左プレート１１４と、右プレート１１５とを含む。上側フレームプレート１１２は垂直板１１１の上縁に配置され、下側フレームプレート１１３は垂直板１１１の下縁に配置され、左プレート１１４は垂直板１１１の左端に配置され、上側フレームプレート１１２と接続されている上端、および下側フレームプレート１１３と接続されている下端を有し、右プレート１１５は垂直板１１１の右端に配置され、上側フレームプレート１１２と接続されている上端、および下側フレームプレート１１３と接続されている下端を有する。
【００３２】
前方収容溝１４および後方収容溝の各々は、垂直板１１１、上側フレームプレート１１２、下側フレームプレート１１３、左プレート１１４および右プレート１１５によって画定される。それゆえ、セパレータ本体１１は、より単純な構造を有し、製造することが容易である。本開示の一実施形態において、セパレータ１０は一体的に形成されてもよく、すなわち、垂直板１１１、上側フレームプレート１１２、下側フレームプレート１１３、左プレート１１４および右プレート１１５は一体的に形成されてもよく、それによって、垂直板１１１、上側フレームプレート１１２、下側フレームプレート１１３、左プレート１１４および右プレート１１５の間の接続強度が向上し、したがって、セパレータ１０の構造強度が向上する。さらに、電池１０１のための電池収容アセンブリ１００の保護が改善される。
【００３３】
代替的に、前方切り欠き１４１が、左プレート１１４および右プレート１１５の各々の前縁に形成されてもよく、後方切り欠き１５１が、左プレート１１４および右プレート１１５の各々の後縁に形成されてもよい。言い換えれば、電池室のそれぞれ左側と右側に貫通孔が形成されてもよく、それによって、電池１０１の電極を、貫通孔を介して電池室の外部に延伸することができる。防爆弁の位置決め孔６２１、注入孔および電極のための貫通孔の位置は、電池１０１の構造に従って配置することができる。複数の前方切り欠き１４１が配置されて、上下方向において互いから離間され、複数の後方切り欠き１５１が配置されて、上下方向において互いから離間される、すなわち、電池室の左側と右側の両方に、複数の貫通孔が形成される。
【００３４】
加えて、電源電池モジュール１０００が正常に機能するとき、電池室の周壁と電池１０１との間の間隙が形成され得、それによって、電池１０１を電源電池１０００内の空気によって冷却することができる。電源電池モジュール１０００の電池１０１内に異常な状態があるとき、たとえば、電池１０１が膨張しているとき、電池室の周壁と電池１０１との間の間隙が、電池１０１の、厚さ方向における変形を許容することができ、したがって、電源電池モジュール１０００の安全性が向上する。
【００３５】
前方収容溝１４および後方収容溝のうちの少なくとも一方の下壁には環状段部１４２が配置される。本開示の一実施形態において、環状段部１４２は、前方収容溝１４および後方収容溝の各々の下壁に配置される。環状段部１４２を配置することによって、前方収容溝１４および後方収容溝の下壁を、電池１０１の外面から分離することができ、したがって、電池室の周壁と電池１０１との間の間隙が確保される。
【００３６】
代替的に、前方収容溝１４および後方収容溝のうちの少なくとも一方の下壁の表面が、下壁の周縁から下壁の中心へと下向きに傾けられる。本開示の一実施形態において、前方収容溝１４および後方収容溝の各々の下壁の表面が、下壁の周縁から下壁の中心へと下向きに傾けられ、したがって、電池室の周壁と電池１０１との間の間隙が確保される。前方収容溝１４および後方収容溝の下壁の表面は、垂直板１１１の表面であってもよいことが留意されるべきである。
【００３７】
安全性および信頼性の要件を満たすために、セパレータ１０は、ＰＰＯ（ポリ（フェニレンオキシド））、ＰＰ（ポリプロピレン）、ＰＥＴ（ポリエチレンテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それゆえ、本開示の実施形態によるセパレータ１０は、高い強度を有し、電源電池モジュール１０００に対する衝突のような異常な状態において、電池１０１を効果的に保護することができる。たとえば、セパレータ本体１１は、全体を射出成形によって形成することができ、射出成形の間にこれらの材料内に金属を埋め込むことができ、それによって、セパレータ１０の構造強度がさらに向上する。その上、セパレータ１０は射出成形後に直に離型することができ、それによって、セパレータ１０は簡便に製造することができ、費用が節約される。
【００３８】
図１２に示すように、上側フレームプレート１１２および下側フレームプレート１１３の各々の前側端に前方段部１１８が配置され、上側フレームプレート１１２および下側フレームプレート１１３の各々の後側端に後方段部１１９が配置される。複数のセパレータ１０がともに組み立てられるとき、隣接するセパレータ１０のうちの一方の上側フレームプレート１１２の前側端に配置されている前方段部１１８が、隣接するセパレータ１０のうちの他方の上側フレームプレート１１２の後側端に配置されている後方段部１１９と重ね合わされる。同様に、隣接するセパレータ１０のうちの一方の下側フレームプレート１１３の前側端に配置されている前方段部１１８が、隣接するセパレータ１０のうちの他方の下側フレームプレート１１３の後側端に配置されている後方段部１１９と重ね合わされる。したがって、電池収容アセンブリ１００の外観は美的であり、隣接するセパレータ１０を互いに近密に接続することができる。その上、電源電池モジュール１０００の組み立て効率が向上し、電源電池モジュール１０００の製造費用が低減する。本開示の一実施形態において、前方段部１１８は下向きに面することができ、後方段部１１９は上向きに面することができ、それによって、対応する前方段部１１８と後方段部１１９とが互いにより良好にフィットすることができる。
【００３９】
図１２に示すような本開示の一実施形態において、前方段部１１８は、下向きに面する第１の前方段部セグメント１１８１、および上向きに面する第２の前方段部セグメント１１８２を含み、後方段部１１９は、上向きに面し、第１の前方段部セグメント１１８１に対応する第１の後方段部セグメント、および、下向きに面し、第２の前方段部セグメント１１８２に対応する第２の後方段部セグメント１１９１を含む。それゆえ、隣接するセパレータ１０を、互いにより近密に組み立てることができ、それによって、より良好な組み立て効果を達成することができる。その上、前方段部１１８および後方段部１１９をそれぞれ２つのセグメントに分割することによって、前方段部１１８と後方段部１１９との間の接続に起因して、隣接するセパレータ１０同士をともに組み立て、互いに対して位置付けることができ、隣接するセパレータ１０間の接続が安定する。
【００４０】
本開示のいくつかの実施形態において、前方収容溝１４を後方収容溝と連通させるために窓１１１１を垂直板１１１内に形成することができる、すなわち、前方収容溝１４および後方収容溝が互いに連通する。言い換えれば、垂直板１１１は、前後方向に貫通される構造として構成され、それによって、製造材料が節約され、費用が低減する。
【００４１】
絶縁板１６または導熱板１７が窓１１１１の中に配置され得る。絶縁板１６を配置することによって、隣接する電池１０１間の絶縁性を向上させることができ、それによって、電源電池モジュール１０００の安全性能を増大させることができる。導熱板１７を配置することによって、電池室内の電池１０１の放熱効果を向上させることができ、それによって、電源電池モジュール１０００の安全性能も増大させることができ、電池１０１の可使時間を延長することができる。
【００４２】
詳細には、上側フレームプレート１１２内に挿入孔が形成され、挿入孔と位置合わせされた挿入溝が垂直板１１１内に形成され、絶縁板１６または導熱板１７が、挿入孔および挿入溝を介して窓１１１１内に挿入される。このように、絶縁板１６または導熱板１７をセパレータ１０に簡便に取り付けることができる。
【００４３】
図１〜図３、図６、図７、図９および図１１に示すように、本開示のいくつかの実施形態において、左カバー１２および右カバー１３を、セパレータ本体１１によって一体的に形成することができ、それによって、セパレータ本体１１と左カバー１２および右カバー１３との間の接続強度が向上し、左カバー１２および右カバー１３の複雑な組み立て工程を回避することができ、したがって、組み立て速度が増大する。
【００４４】
確実に、本開示はこれには限定されず、左カバー１２および右カバー１３は、それぞれセパレータ本体１１上に取り外し可能に配置されてもよい。言い換えれば、セパレータ本体１１、左カバー１２および右カバー１３は独立して製造されてもよく、その後、左カバー１２および右カバー１３は、接続構造を介してセパレータ本体１１上に配置される。それゆえ、セパレータ本体１１、左カバー１２および右カバー１３のうちの１つが損傷を受けると、アセンブリ全体を交換することなく、対応するものだけを交換すればよく、したがって、保守管理が容易になり、保守管理費用が節約される。
【００４５】
図６に示すような本開示の一実施形態において、カバー挿入スロット１１７をセパレータ本体１１内に形成することができ、カバー挿入スロット１１７内にスナップ嵌めされるカバークラスプ１３４を、左カバー１２および右カバー１３の各々に配置することができる。カバークラスプ１３４をカバー挿入スロット１１７内にスナップ嵌めすることによって、左カバー１２および右カバー１３がそれぞれセパレータ本体１１上に配置され、それによって、左カバー１２とセパレータ１０との間、および、右カバー１３とセパレータ１０との間の接続が単純になる。図６に示すように、カバークラスプ１３４は、左カバー１２および右カバー１３の上端および下端に配置することができ、それによって、左カバー１２および右カバー１３をセパレータ本体１１上に安定して配置することができる。
【００４６】
図１１に示すような本開示の別の実施形態において、上側フレームプレート１１２の左端が、左上延伸部１１２１を形成するように、左プレート１１４を越えて左向きに延伸され、下側フレームプレート１１３の左端が、左下延伸部１１３１を形成するように、左プレート１１４を越えて左向きに延伸され、上側フレームプレート１１２の右端が、右上延伸部１１２２を形成するように、右プレート１１５を越えて右向きに延伸され、下側フレームプレート１１３の右端が、右下延伸部１１３２を形成するように、右プレート１１５を越えて右向きに延伸される。その上、左上延伸部１１２１、左下延伸部１１３１、右上延伸部１１２２および右下延伸部１１３２の各々の中に、スナップ嵌めスロット１１６が形成される。対応して、左上延伸部１１２１のスナップ嵌めスロット１１６内にスナップ嵌めされる左上クラスプ１２１、および、左下延伸部１１３１のスナップ嵌めスロット１１６内にスナップ嵌めされる左下クラスプが左カバー１２の右面上に配置され、右上延伸部１１２２のスナップ嵌めスロット１１６内にスナップ嵌めされる右上クラスプ１３１、および、右下延伸部１１３２のスナップ嵌めスロット１１６内にスナップ嵌めされる右下クラスプ１３２が右カバー１３の左面上に配置される。それゆえ、左カバー１２および右カバー１３をセパレータ１０により簡便に配置することができる。
【００４７】
図１１に示すように、左上クラスプ１２１および左下クラスプは左カバー１２の右面上に配置することができ、右上クラスプ１３１および右下クラスプ１３２は右カバー１３の左面上に配置することができ、それによって、左カバー１２と左上クラスプ１２１および左下クラスプとの間、ならびに、右カバー１３と右上クラスプ１３１および右下クラスプ１３２との間の接続強度が向上する。
【００４８】
代替的に、左カバー１２および右カバー１３は、前後方向において、左プレート１１４および右プレート１１５の前後方向における幅以上であり、かつ上側フレームプレート１１２および下側フレームプレート１１３の前後方向における幅以下である幅を有する。左カバー１２および右カバー１３が、前後方向において、左プレート１１４および右プレート１１５の前後方向における幅よりも大きい幅を有するとき、隣接するセパレータ１０の左プレート１１４間、および、隣接するセパレータ１０の右プレート１１５間に間隙が形成され得、それによって、左カバー１２は、左プレート１１４間の間隙を被覆することができ、右カバー１３は、右プレート１１５間の間隙を被覆することができる。左カバー１２および右カバー１３が、前後方向において、左プレート１１４および右プレート１１５の前後方向における幅に等しい幅を有するとき、隣接するセパレータ１０の左プレート１１４は互いに近密に接し、隣接するセパレータ１０の右プレート１１５は互いに近密に接し、それによって、左プレート１１４、右プレート１１５、左カバー１２またはカバー１３は、電池１０１を適切に保護することができる。
【００４９】
左カバー１２および右カバー１３の安全性および信頼性の要件を満たすために、左カバー１２および右カバー１３は、ＰＰＯ（ポリ（フェニレンオキシド））、ＰＰ（ポリプロピレン）、ＰＥＴ（ポリエチレンテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それゆえ、左カバー１２および右カバー１３は高い強度、耐食性および良好な耐火性を有し、電源電池モジュール１０００に対する衝突のような異常な状態において、電池１０１を効果的に保護することができる。
【００５０】
図１〜図３および図７〜図９に示すように、本開示のいくつかの実施形態において、電池収容アセンブリ１００は、前方プレート２０をさらに含む。前方プレート２０は、その後部において後方溝２１を画定する。前方プレート２０の後方溝２１、および、複数のセパレータ１０のうちの最前方のセパレータ１０の前方収容溝１４が、最前方の電池室を画定する。前方プレート２０は最前方のセパレータ１０とスナップ嵌めされ、たとえば、前方プレート２０は、スナップ嵌め構造６０を介して最前方のセパレータ１０とスナップ嵌めされ得る。前方プレート２０はその前部に溝を画定しなくてもよく、それによって前方プレート２０は単純な構造を有し、製造することが容易になり、したがって、材料および空間が節約される。
【００５１】
対応して、電池収容アセンブリ１００は、後方プレート３０をさらに含む。後方プレート３０は、その前部において前方溝を画定する。前方溝、および、複数のセパレータ１０のうちの最後方のセパレータ１０の後方収容溝が、最後方の電池室を画定する。後方プレート３０は最後方のセパレータ１０とスナップ嵌めされ、たとえば、後方プレート３０は、上述のスナップ嵌め構造６０を介して最後方のセパレータ１０とスナップ嵌めされ得る。後方プレート３０はその後部に溝を画定しなくてもよく、それによって後方プレート３０は単純な構造を有し、製造することが容易であり、したがって、材料および空間が節約される。本開示の一実施形態において、左カバー１２が前方プレート２０の左側に配置されてもよく、右カバー１３が前方プレート２０の右側に配置されてもよく、左カバー１２が後方プレート３０の左側に配置されてもよく、右カバー１３が後方プレート３０の右側に配置されてもよく、それによって、前方プレート２０および後方プレート３０をより良好に保護することができる。
【００５２】
本開示のいくつかの実施形態において、スナップ嵌め孔１１２３が、前方収容溝１４および後方収容溝の上壁および下壁のうちの少なくとも１つの中に形成される。本開示の他の実施形態において、スナップ嵌め孔１１２３は、前方プレート２０の後部および後方プレート２０の後部のうちの少なくとも一方の中に形成される。
【００５３】
本開示の実施形態による配線スナップフィット２００を、図１５〜図１９を参照して以下に説明する。
【００５４】
スナップフィット本体２１０は実質的にアーチ形状を有するように構成される、すなわち、スナップフィット本体２１０の幅方向において、スナップフィット本体２１０の中央部は上向きに突出しており、スナップフィット本体２１０の２つの端部分は、スナップフィット本体２１０の中央部よりも下に位置する。開口部２１４が配線溝２１１の下端に形成され、それによって、配線またはワイヤを配線溝２１１内に下から上に挿入し、配線溝２１１内に収容することができる。したがって、配線またはワイヤをより容易に組み立てることができる。
【００５５】
本開示のいくつかの実施形態において、スナップ嵌め部２２０が、開口部２１４の２つの側部に配置される。したがって、配線スナップフィット２００をセパレータ１０により安定して締結することができる。本開示の他の実施形態において、スナップ嵌め部２２０は、開口部２１４の各側に配置され、開口部２１４の両側に配置されているスナップ嵌め部２２０は互いに対称である。すなわち、スナップフィット本体２１０の幅方向において、２つのスナップ嵌め部２２０は互いに対称であり、それによって、配線スナップフィット２００をセパレータ１０に、より安定して締結することができる。
【００５６】
本開示のいくつかの実施形態において、スナップ嵌め部２２０の第１の端部がスナップフィット本体２１０に接続され、配線クラスプ２２１がスナップ嵌め部２２０の第２の端部に配置される。図１５、図１６および図１７に示すように、スナップ嵌め部２２０の上端がスナップフィット本体２１０に接続され、配線クラスプ２２１がスナップ嵌め部２２０の下端に配置される。したがって、配線スナップフィット２００は単純な構造を有することができ、配線スナップフィット２００は容易に製造することができる。
【００５７】
本開示のいくつかの実施形態において、配線溝２１１は、配線を収容するように構成されている配線収容部２１１１と、配線収容部２１１１の下端に配置され、配線収容部２１１１と連通する遷移部２１１２とを含む。遷移部２１１２の側方サイズは配線収容部２１１１の側方サイズよりも小さく、遷移部２１１２の下端は開いている。詳細には、配線またはワイヤの組み立てにおいて、配線またはワイヤを遷移部２１１２の下端から配線収容部２１１１内に挿入することによって、配線またはワイヤは配線収容部２１１１内に受け入れることができる。
【００５８】
配線収容部２１１１のサイズは、配線またはワイヤを収容するために配線またはワイヤのサイズに一致すべきであることが留意されるべきである。本開示のいくつかの実施形態にいて、遷移部２１１２のサイズは、配線またはワイヤのサイズよりもわずかに小さい。したがって、配線またはワイヤが配線収容部２１１１内に収容されると、配線またはワイヤが相対的に小さい力で配線収容部２１１１から抜け落ちることを防止することができ、それによって、配線またはワイヤはより安定して組み立て、配線収容部２１１１内に収めることができる。遷移部２１１２の幅を大きくしすぎることはできず、さもなければ、遷移部２１１２が配線またはワイヤに対するその制限効果を失うおそれがあり、また、遷移部２１１２の幅は小さくしすぎることはできず、さもなければ、ワイヤまたはワイヤを配線収容部２１１１に収容することができないことが留意されるべきである。
【００５９】
本開示のいくつかの実施形態において、配線収容部２１１１の断面は、図１５、図１６および図１７に示すように、円形状を有するように構成されている。したがって、配線収容部２１１１の形状は、配線またはワイヤの形状に一致することができ、配線またはワイヤは配線収容部２１１１内に良好に収容することができる。本開示のいくつかの実施形態において、遷移部２１１２の断面は矩形形状を有するように構成されており、遷移部２１１２の幅は、配線収容部２１１１の直径よりも小さい。たとえば、配線収容部２１１１の直径対遷移部２１１２の幅の比は１．５：１．２であり、それによって、配線またはワイヤが配線収容部２１１１および遷移部２１１２によって効果的に収められ得ることを保証しながら、配線またはワイヤを遷移部２１１２から配線収容部２１１１内に円滑かつ容易に押し込むことができる。本開示のいくつかの実施形態において、遷移部２１１２の側方サイズは上から下に向けて漸進的に低減され、それによって、配線またはワイヤを配線収容部２１１１内により良好に収めることができる。
【００６０】
本開示のいくつかの実施形態において、配線収容部２１１２の断面は正方形形状を有するように構成されており、遷移部２１１１の断面は、矩形形状を有するように構成されている。したがって、遷移部２１１１の断面はより実際的な要件に適したものにすることができる。遷移部２１１１の断面はまた、配線またはワイヤの形状および組み立て要件に従って、楕円形状、多角形形状、不規則形状などを有するように構成することもできることが留意されるべきである。
【００６１】
本開示のいくつかの実施形態において、配線収容部２１１１の内壁面は、平滑な表面として構成され、配線収容部２１１１の端部にフィレットが形成される。したがって、配線またはワイヤの表面上の絶縁層が、配線またはワイヤと配線収容部２１１１との間の長期間にわたる摩擦に起因して摩耗することを防止することができ、したがって、配線またはワイヤの安全性能が向上する。
【００６２】
本開示のいくつかの実施形態において、図１７に示すように、配線溝２１１は、第１の配線溝２１１３および第２の配線溝２１１４を含み、スナップ嵌め部２２０は第１の配線溝２１１３の外壁面上に配置され、第１の配線溝２１１３および第２の配線溝２１１４の延伸方向は交差する。したがって、２方向に延伸する配線またはワイヤも配線スナップフィット２００によって締結することができ、したがって、配線スナップフィット２００の適用範囲を拡大することができ、配線またはワイヤを様々な方向に延伸することができる。本開示の１つの実施形態において、第１の配線溝２１１３は第２の配線溝２１１４に対して垂直であり、第２の配線溝２１１４と連通し、それによって、配線溝２１１をより容易に製造することができる。
【００６３】
本開示のいくつかの実施形態において、配線スナップフィット２００は、スナップ嵌め孔１１２３を介して、前方収容溝１４の上壁および下壁、ならびに、後方収容溝の上壁および下壁のうちの少なくとも１つに固定される。本開示の他の実施形態において、配線スナップフィット２００は、スナップ嵌め孔１１２３を介して、前方プレート２０の前部および後方プレート３０の後部のうちの少なくとも一方に固定される。本開示の１つの実施形態において、前方プレート２０の前部および後方プレート３０の後部に配置されている配線スナップフィット２００は、第１の配線溝２１１３および第２の配線溝２１１４を含む。
【００６４】
本開示のいくつかの実施形態において、スナップ嵌め部２２０のサイズは、長さ方向においてスナップフィット本体２１０のサイズよりも小さく、スナップ嵌め部２２０の端部の表面は、スナップフィット本体２１０の端部の表面と同一平面上にある。たとえば、図１５〜図１６に示すように、スナップ嵌め部２２０の下端の表面は、スナップフィット本体２１０の下端の表面と同一平面上にある。したがって、材料の消費率を低減することができ、配線スナップフィット２００は、単純かつ妥当な構造を有することができ、スナップ嵌め部２２０はセパレータ１０に容易に固定することができる。
【００６５】
本開示のいくつかの実施形態において、スナップ嵌め部２２０は、実質的にスナップフィット本体２１０と同じアーチ形状を有するように構成され、スナップ嵌め部２２０のサイズは、幅方向と上下方向の両方において、スナップフィット本体２１０のサイズよりも大きい。すなわち、幅方向において、スナップ嵌め部２２０のサイズはスナップフィット本体２１０のサイズよりも大きく、上下方向において、スナップ嵌め部２２０のサイズはスナップフィット本体２１０のサイズよりも大きい。言い換えれば、スナップ嵌め部２２０はスナップフィット本体２１０の外部に配置され、配線クラスプ２２１は幅方向においてスナップ嵌め部２２０の２つの端部に配置され、外向きに延伸する。したがって、配線クラスプ２２１は、配線スナップフィット２００とセパレータ１０との間の接続強度および安定性を向上させるために、セパレータ１０内のスナップ嵌め溝内に外向きに挿入することができる。
【００６６】
スナップ嵌め部２２０の配線クラスプ２２１のサイズは、配線スナップフィット２００とセパレータ１０との間の接続強度および安定性、ならびに、配線スナップフィット２００を組み立てる簡便性を考慮に入れて設計されるべきであることが留意されるべきである。たとえば、配線クラスプ２２１のサイズが小さすぎる場合、配線クラスプ２２１の引く力も小さくなり、それによって、配線スナップフィット２００とセパレータ１０との間の接続強度が低くなるおそれがあり、配線スナップフィット２００とセパレータ１０との間の接続が不安定になるおそれがあり（すなわち、配線クラスプ２２１が振動に起因して抜け落ちるおそれがある）、配線クラスプ２２１のサイズが大きすぎる場合、配線クラスプ２２１を容易に設置することができず、配線クラスプ２２１がくり返し組み立てられると、配線クラスプ２２１が破損するおそれがある。それゆえ、本開示のいくつかの実施形態において、配線スナップフィット２００とセパレータ１０との間の接続強度および安定性を保証するために、配線クラスプ２２１の延伸長さは約１ミリメートル〜約３ミリメートルであり、それによって、配線スナップフィット２００を容易に組み立て、容易に分解することができ、配線クラスプ２２１は良好な強度を有し、繰り返し組み立てられることに起因して破損しなくなる。
【００６７】
図１５および図１６に示すように、本開示のいくつかの実施形態において、スナップ嵌め部２２０は配線溝２１１の第１の端部に隣接して配置され、制限フランジ２１２が、配線溝２１１の第２の端部に配置される。すなわち、スナップ嵌め部２２０および制限フランジ２１２は、長さ方向においてスナップフィット本体２１０の２つの端部に配置される。制限フランジ２１２によって、配線スナップフィット２００の設置安定性をさらに向上させるために、長さにおける配線スナップフィット２００の自由度を制限することができる。
【００６８】
本開示のいくつかの実施形態において、複数の強化リブ２１３がスナップフィット本体２１０の外面およびスナップ嵌め部２２０の外面上に配置される。したがって、スナップフィット本体２１０およびスナップ嵌め部２２０の強度を増大させることができ、スナップフィット本体２１０およびスナップ嵌め部２２０の耐用年数を延長することができる。本開示のいくつかの実施形態において、強化リブ２１３の数は２〜６である。
【００６９】
本開示のいくつかの実施形態において、スナップフィット本体２１０とスナップ嵌め部２２０との間の接続強度を増大させるためにスナップフィット本体２１０およびスナップ嵌め部２２０は一体的に形成され、それゆえ、配線スナップフィット２００は安定した構造および長い耐用年数を有することができる。詳細には、スナップフィット本体２１０およびスナップ嵌め部２２０は射出成形によって形成することができ、スナップフィット本体２１０およびスナップ嵌め部２２０が成形された後、スナップフィット本体２１０およびスナップ嵌め部２２０は直に離型することができ、それゆえ、スナップフィット本体２１０およびスナップ嵌め部２２０を製造することが容易になり、費用がより低くなる。
【００７０】
配線スナップフィット２００の強度、耐食性および耐候性を向上させるために、配線スナップフィット２００は、ＰＰＯ（ポリ（フェニレンオキシド））、ＡＢＳ（アクリロニトリルブタジエンスチレン）、ＰＣ（ポリカーボネート）または内部に金属を埋め込まれているこれらの材料のような、高い強度、高い耐食性、大きい耐候性を有する材料から作製することができる。
【００７１】
図１〜図１２に示すように、本開示のいくつかの実施形態において、隣接するセパレータ１０はスナップ嵌め構造６０を介して互いに取り外し可能に接続され、それによって、電池収容アセンブリ１００を組み立て、分解することが簡便になり、組み立て工程が単純化され、組み立て効率が向上する。さらに、電源電池モジュール１０００について、その拡張性が向上し、その開発費用が低減し、その開発時間が短縮される。
【００７２】
本開示の実施形態によるスナップ嵌め構造６０を、図１〜図６を参照して説明する。
【００７３】
図１〜図６に示すように、スナップ嵌め構造６０は、隣接するセパレータ１０のうちの一方の中に形成されるスナップ嵌め溝６１と、隣接するセパレータ１０のうちの他方に配置され、隣接するセパレータ１０同士をともに締結するためにスナップ嵌め溝６１内に嵌まるように適合されているスナップ嵌め突出部６２とを含む。言い換えれば、スナップ嵌め構造６０はスナップ嵌め突出部６２およびスナップ嵌め溝６１を含むことができ、スナップ嵌め突出部６２は隣接するセパレータ１０のうちの一方に配置され、スナップ嵌め溝６１は隣接するセパレータ１０のうちの他方の中に形成され、隣接するセパレータ１０同士をともに締結するために、スナップ嵌め突出部６２とスナップ嵌めされる。
【００７４】
その上、位置決め孔６２１をスナップ嵌め突出部６２内に形成することができ、位置決めボス６１２がスナップ嵌め溝６１の下壁に配置され、位置決め孔６２１内にフィットする。詳細には、位置決めボス６１２は、スナップ嵌め突出部６２をスナップ嵌め溝６１内にスナップ嵌めするように、位置決め孔６２１内へと上向きに延伸しており、それによって、隣接するセパレータ１０を互いに接続することができる。それゆえ、隣接するセパレータ１０は単純な構造を有し、互いに容易に接続され、したがって、高い拡張性を提供する。その上、スナップ嵌め突出部６２およびスナップ嵌め溝６１はまた、複数のセパレータ１０を位置決めする機能をも有し、したがって、隣接するセパレータ１０間の位置決めが容易になり、組み立て速度が向上する。
【００７５】
図４〜図６に示すように、セパレータ１０は、上側フレームプレート１１２を含む。上側フレームプレート１１２は、セパレータ１０の上部に位置する。スナップ嵌め溝６１は上側フレームプレート１１２の前縁および後縁のうちの一方の中に形成され、スナップ嵌め突出部６２は、上側フレームプレート１１２の前縁および後縁のうちの他方に配置される。言い換えれば、セパレータ１０はスナップ嵌め溝６１とスナップ嵌め突出部６２の両方を有し、それによって、複数のセパレータ１０が一列に配列されると、複数のセパレータ１０を順次互いにスナップ嵌めすることができる。
【００７６】
代替的に、セパレータ１０は、下側フレームプレート１１３を含む。下側フレームプレート１１３は、セパレータ１０の下部に位置する。スナップ嵌め溝６１は下側フレームプレート１１３の前縁および後縁のうちの一方の中に形成され、スナップ嵌め突出部６２は、下側フレームプレート１１３の前縁および後縁のうちの他方に配置される。言い換えれば、スナップ嵌め構造６０は、セパレータ１０の上側フレームプレート１１２と下側フレームプレート１１３の両方に配置することができる。さらに、スナップ嵌め構造６０は、上側フレームプレート１１２にのみ配置することが、または、スナップ嵌め構造６０は、下側フレームプレート１１３にのみ配置することができ、または、スナップ嵌め構造６０は、同時に上側フレームプレート１１２および下側フレームプレート１１３に配置することができる。本開示の一実施形態において、スナップ嵌め構造６０は同時に上側フレームプレート１１２および下側フレームプレート１１３に配置され、それによって、隣接するセパレータ１０の上側部分が互いに接続され、隣接するセパレータの下側部分も互いに接続され、したがって、隣接するセパレータ１０間の接続強度および接続安定性が向上する。さらに、電池収容アセンブリ１００は、電池１０１をより確実に保護する。
【００７７】
複数のスナップ嵌め突出部６２をセパレータ１０の上側フレームプレート１１２に配置することができ、スナップ嵌め溝６２と１対１で対応している複数のスナップ嵌め溝６２を、セパレータ１０の上側フレームプレート１１２内に形成することができる。複数のスナップ嵌め突出部６２をセパレータ１０の下側フレームプレート１１３に配置することができ、スナップ嵌め溝６２と１対１で対応している複数のスナップ嵌め溝６２を、セパレータ１０の下側フレームプレート１１３内に形成することができる。それゆえ、隣接するセパレータ１０間の接続強度および接続安定性がさらに向上する。
【００７８】
図５に示すような本開示の一実施形態において、スナップ嵌め突出部６２は台形形状を有する、すなわち、上下方向に対して垂直な面内のスナップ嵌め突出部６２の突起は台形である。対応して、スナップ嵌め溝６１は、スナップ嵌め突出部にフィットする台形形状を有することができ、それによって、スナップ嵌め突出部６２は大きい構造強度を有する。確実に、本開示はこれには限定されず、スナップ嵌め突出部６２およびスナップ嵌め溝６１は、スナップ嵌め突出部６２をスナップ嵌め溝６１内に安定してスナップ嵌めすることができる限り、任意の他の形状を有してもよい。
【００７９】
図６に示すように、誘導スロープ６１１をスナップ嵌め溝６１の開口に形成することができ、誘導スロープ６１１は、スナップ嵌め溝６１２の内端からその開口へと下向きに傾斜するように構成されている。電池収容アセンブリ１００が組み立てられるとき、誘導スロープ６１１は、スナップ嵌め突出部６２の取り付けに対して誘導機能を実施する、すなわち、スナップ嵌め突出部６２は、誘導スロープ６１１を介してスナップ嵌め溝内に容易に挿入するように誘導され、したがって、組み立て速度が向上し、組み立て難度が低減する。
【００８０】
本開示の別の実施形態によるスナップ嵌め構造６０を、図７〜図１４を参照して以下に説明する。
【００８１】
図７〜図１４に示すように、スナップ嵌め構造６０は、スナップフィット溝６３およびスナップフィットピン６４を含むことができる。スナップフィット溝６３は、セパレータ１０内に形成され、スナップフィットピン６４は、セパレータ１０に対する取り外し可能部材であり、少なくとも２つの取り付け部６４１を含む。少なくとも２つの取り付け部６４１は、少なくとも２つのセパレータ１０を互いに接続するように、少なくとも２つのセパレータ１０のスナップフィット溝６３内にスナップ嵌めされる。言い換えれば、スナップフィットピン６４は、少なくとも２つの隣接するまたは隣接しないセパレータ１０を互いに接続することができる。スナップフィットピン６４を配置することによって、セパレータ１０同士をともに接続することが簡便になり、セパレータ１０を迅速に組み立てることが容易になり、様々な組み立て様式がもたらされる。
【００８２】
図１０および図１３に示すように、本開示のいくつかの実施形態において、スナップフィットピン６４は、接続ブリッジ６４２をさらに含むことができる。２つの取り付け部６４１がそれぞれ接続ブリッジ６４２の２つの端部に配置され、隣接するセパレータ１０を互いに接続するために隣接するセパレータ１０のスナップフィット溝６３内にフィットする。言い換えれば、スナップフィットピン６４は、隣接するセパレータ１０を互いに接続するのみであり得、それによって、スナップフィットピン６４は、相対的に小さい体積、および単純な構造を有することができる。それゆえ、電池収容アセンブリ１００のセパレータ１０間の接続構造は単純であり、セパレータ１０を組み立てることは簡便である。セパレータ１０を互いに接続するためにスナップフィットピン６４を使用することによって、電源電池モジュール１０００は、電池の実際の要件に従って任意の数のセパレータ１０を含むことができ、したがって、電源電池モジュール１０００の拡張性が向上する。
【００８３】
スナップフィット溝６３は開口部６３１を有し、隣接するセパレータ１０内のスナップフィット溝６３の開口部６３１は、接続ブリッジ６４２を受け入れるように互いに対向している。それゆえ、スナップフィットピン６４がセパレータ１０間に配置されると、スナップフィットピン６４の上面はセパレータ１０の上面と同一平面上になり、それによって、電池収容アセンブリ１００の外観は美的になり、スナップフィットピン６４はスナップフィット溝６３内に完全に埋め込まれ、したがって、外力に起因するスナップフィットピン６４への損傷が回避される。
【００８４】
本開示のいくつかの実施形態において、スナップフィット溝６３は隣接するセパレータ１０の上側フレームプレート１１２の各々の中に形成することができ、スナップフィットピン６４は、隣接するセパレータ１０を互いに接続するために、隣接するセパレータ１０の上側フレームプレート１１２間に配置することができる。
【００８５】
代替的に、スナップフィット溝６３は隣接するセパレータ１０の下側フレームプレート１１３の各々の中に形成することができ、スナップフィットピン６４は、隣接するセパレータ１０を互いに接続するために、隣接するセパレータ１０の下側フレームプレート１１３間に配置することができる。
【００８６】
本開示の一実施形態において、スナップフィットピン６４は、隣接するセパレータ１０の上側フレームプレート１１２間または隣接するセパレータ１０の下側フレームプレート１１２間にのみ配置されてもよい。代替的に、スナップフィットピン６４は、隣接するセパレータ１０の上側フレームプレート１１２間、および、隣接するセパレータ１０の下側フレームプレート１１３間に同時に配置されてもよい。それゆえ、電池収容アセンブリ１００の様々な取り付け要件を満たすために、セパレータ１０間の様々な接続様式がもたらされる。本開示の一実施形態において、スナップフィットピン６４は、隣接するセパレータ１０の上側フレームプレート１１２間、および、隣接するセパレータ１０の下側フレームプレート１１３間に同時に配置され、それによって、隣接するセパレータ１０の上側部分が互いに接続され、隣接するセパレータ１０の下側部分が互いに接続され、電池収容アセンブリ１００の構造が安定し、したがって、電池１０１のための電池収容アセンブリ１００のより確実な保護、および、電源電池モジュール１０００のより良好な安全性能がもたらされる。
【００８７】
代替的に、取り付け部６４１は、スナップフィット溝６３との締まりばめ係合を有することができ、または、取り付け部６４１は、ボルトを介してスナップフィット溝６３内に取り付けることができ、それによって、スナップフィットピン６４はセパレータ１０と近密に接続することができ、したがって、高い信頼性および高い接続強度がもたらされ、電源電池モジュール１０００の可使時間が向上する。
【００８８】
代替的に、取り付け部６４１は、円形状、台形形状または矩形形状を有するように構成されてもよい。言い換えれば、上下方向に対して垂直な面における取り付け部６４１の突起は、円形、台形または矩形であってもよい。対応して、スナップフィット溝６３も、取り付け部６４１と適合する円形状、台形形状または矩形形状を有するように構成される。それゆえ、取り付け部６４１の構造は様々であり、取り付け部６４１をセパレータ１０に組み付けることは簡便である。
【００８９】
本開示の一実施形態において、段部分６４１６が、取り付け部６４１の、スナップフィット溝６３に面する表面上に形成され、取り付け部６４１の段部分６４１６に対応する段部分６３２がスナップフィット溝６３内に形成され、それによって、取り付け部６４１はスナップフィット溝６３内により近密にフィットすることができ、スナップ嵌め構造６０がより安定し、電池収容アセンブリ１００の構造安定性がさらに向上する。
【００９０】
図１３および図１４に示すように、接続ブリッジ６４２は長手方向に延伸し、２つの取り付け部６４１は、長手方向において接続ブリッジ６４２の２つの端部に配置され、長手方向に対して垂直である、すなわち、取り付け部６４１は横方向に延伸する。言い換えれば、スナップフィットピン６４は、ほぼ「工」形状を有するように構成される。接続ブリッジ６４２の厚さ方向に延伸する複数の突出隆起部６４１１が、取り付け部６４１の外端面上で接続ブリッジ６４２から外方に配置される、すなわち、突出隆起部６４１１は垂直方向に延伸する。スナップフィットピン６４がセパレータ１０内に取り付けられているとき、取り付け部６４１はスナップフィット溝６３にフィットし、取り付け部６４１の外端面に配置されている突出隆起部６４１１が位置決めおよび誘導機能を実施し、それによって、スナップフィットピン６４を簡便に取り付けることができる。その上、スナップフィットピン６４の使用時間全体の間にスナップフィットピン６４を保持するように、突出隆起部６４１１とスナップフィット溝６３の壁との間に摩擦力を生成することができる。
【００９１】
本開示のいくつかの実施形態において、突出隆起部６４１１の断面は、弧形状を有するように構成される。代替的に、突出隆起部６４１１の一方の端部は、突出隆起部６４１１の他方の端部に向けて傾いたスロープ６４１２を有する、すなわち、図１４に示すように、垂直方向における突出隆起部６４１１の一方の端部（たとえば、上端）は、垂直方向において突出隆起部６４１１の他方の端部（たとえば、下端）に向けて傾いたスロープ６４１２を有する。代替的に、突出隆起部６４１１の他方の端部（たとえば、下端）の断面は、円形状を有するように構成されてもよい。それゆえ、使用中にスナップフィットピン６４を組み立てることが簡便であり、長手方向における力が突出隆起部６４１１とスナップフィット溝６３の壁との間に生成され得、それによって、スナップフィットピン６４が変形してスナップフィット溝６３から出ることが起こりにくくなる。確実に、本開示の一実施形態において、突出隆起部６４１１は、２つの取り付け部６４１の２つの対向する端面の各々に配置することができ、それによって、突出隆起部６４１１とスナップフィット溝６３の壁との間の摩擦力をさらに向上することができ、したがって、スナップフィットピン６４の接続強度がさらに増大する。
【００９２】
本開示の一実施形態において、２つの取り付け部６４１の少なくとも一方は、その厚さ方向を貫通する少なくとも１つの取り外し孔６４１３を有する。スナップフィットピン６４を取り付けるかまたは取り外すとき、操作者は、スナップフィットピン６４を取り付けるかまたは取り外すために取り外し孔６４１３を介してスナップフィットピン６４を保持することができ、それによって、スナップフィットピン６４を迅速に取り付けるかまたは取り外すことが容易かつ簡便になる。代替的に、取り外し孔６４１３にフィットする取り付けボスまたは取り付けピンのような取り付け部材（図示せず）が、スナップフィット溝６３の下壁に配置されてもよく、それによって、スナップフィットピン６４は、セパレータ１０上により安定して固定することができる。実際の組み立て要件に従って、１つまたは複数の取り外し孔６４１３を設けることができる。
【００９３】
図１３および図１４に示すように、取り付け部６４１は、その厚さにおいて外向きに延伸する基部６４１４を有する。言い換えれば、基部６４１４は長手方向に延伸し、基部６４１４の表面は、基部６４１４に対応する取り付け部６４１の表面よりも高い。基部６４１４は、基部６４１４に対応する取り付け部６４１の周縁に形成される。基部６４１４を配置することによって、取り付け部６４１の構造強度を増大させることができ、スナップフィットピン６４の強度も向上することができる。さらに、取り付け部６４１は容易には変形せず、セパレータ１０間のスナップフィットピン６４の接続強度が向上する。
【００９４】
代替的に、基部６４１４の延伸する厚さは１〜１０ｍｍであってもよい。本開示の一実施形態において、基部６４１４の延伸する厚さは１〜３ｍｍであり、それによって、基部６４１４は適切な厚さを有し、基部６４１４の材料を節約することができる。
【００９５】
代替的に、少なくとも１つの強化リブ６４２２が、接続ブリッジ６４２の表面上に形成される。強化リブ６４２２を配置することによって、接続ブリッジ６４２の構造強度が強化され、接続ブリッジ６４２は容易には変形せず、したがって、スナップフィットピン６４の可使時間が増大する。
【００９６】
本開示のいくつかの実施形態において、図１３に示すように、複数のボス６４２１が、横方向において接続ブリッジ６４２の２つの側面のうちの少なくとも一方に配置され、接続ブリッジ６４２の２つの側面のうちの少なくとも一方から外向きに突出する。複数のボス６４２１を配置することによって、スナップフィットピン６４とスナップフィット溝６３の壁との間の摩擦力が増大し、したがって、スナップフィットピン６４とセパレータ１０との間の接続強度がさらに増大する。
【００９７】
代替的に、ボス６４２１の各々は、実質的に半球形状を有するように構成され、それによって、スナップフィットピン６４は簡便に、スナップフィットピン６４の射出成形の間に離型することができる。ボス６４２１のサイズが小さすぎる場合、スナップフィットピン６４とスナップフィット溝６３の壁との間の摩擦力は十分でなく、ボス６４２１のサイズが大きすぎる場合、スナップフィット６４を離型することが困難であることが留意されるべきである。好ましくは、ボス６４２１の直径は１ｍｍ〜２ｍｍであり、すなわち、ボス６４２１の接続部と接続ブリッジ６４２との間の直径は１ｍｍ〜２ｍｍであり得、したがって、スナップフィットピン６４とスナップフィット溝６３の壁との間の摩擦力が保証され、スナップフィットピン６４の離型が容易になる。複数のボス６４２１は長手方向において互いから離間され、それによって、スナップフィットピン６４とスナップフィット溝６３の壁との間の摩擦力は均一になる。
【００９８】
スナップフィットピン６４の接続強度およびスナップフィット６４とセパレータ１０との間の協調を考慮すると、スナップフィットピン６４全体の厚さは８ｍｍ〜１５ｍｍであり得る。本開示の一実施形態において、スナップフィットピン６４全体の厚さは１０ｍｍ〜１３ｍｍである、すなわち、上下方向におけるスナップフィット６４の突出の厚さは１０ｍｍ〜１３ｍｍである。それゆえ、スナップフィットピン６４は十分な強度を有し、材料が節約され、スナップフィットピン６４をセパレータ１０に接続することが簡便かつ確実になる。
【００９９】
代替的に、スナップフィットピン６４はプラスチック成形部品またはプラスチック−金属混合成形部品である。たとえば、接続ブリッジ６４２、取り付け部６４１、突出隆起部６４１１、ボス６４２１および基部６４１４はプラスチック部品であり、射出成形によって一体的に形成され、これらのプラスチック部品を形成することは用意かつ簡便である。接続ブリッジ６４２、取り付け部６４１、突出隆起部６４１１、ボス６４２１および基部６４１４は、ＰＰＯ（ポリ（フェニレンオキシド））、ＰＰ（ポリプロピレン）、ＰＰＥ（ポリ（フェニルエーテル））、または内部に金属を埋め込まれているこれらの材料から作製することができる。それゆえ、これらの構成要素は、電源電池モジュール１０００の安全性能および信頼性の要件を満たす高い耐食性、大きい耐候性、良好な耐火性および高い絶縁性を有し、したがって、スナップフィットピン６４は高い構造強度を有する。
【０１００】
本明細書全体を通じて「一実施形態（ａｎ  ｅｍｂｏｄｉｍｅｎｔ）」、「いくつかの実施形態（ｓｏｍｅ  ｅｍｂｏｄｉｍｅｎｔｓ）」、「１つの実施形態（ｏｎｅ  ｅｍｂｏｄｉｍｅｎｔ）」、「別の例（ａｎｏｔｈｅｒ  ｅｘａｍｐｌｅ）」、「一例（ａｎ  ｅｘａｍｐｌｅ）」、「特定の例（ａ  ｓｐｅｃｉｆｉｃ  ｅｘａｍｐｌｅ）」、または「いくつかの例（ｓｏｍｅ  ｅｘａｍｐｌｅｓ）」が参照されている場合、これは、その実施形態または例に関連して記載されている特定の特徴、構造、材料、または特性が、本開示の少なくとも１つの実施形態または例に含まれることを意味する。したがって、本明細書全体を通じた様々な箇所において「幾つかの実施形態において（ｉｎ  ｓｏｍｅ  ｅｍｂｏｄｉｍｅｎｔｓ）」、「１つの実施形態において、（ｉｎ  ｏｎｅ  ｅｍｂｏｄｉｍｅｎｔ）」、「一実施形態において（ｉｎ  ａｎ  ｅｍｂｏｄｉｍｅｎｔ）」、「別の例において（ｉｎ  ａｎｏｔｈｅｒ  ｅｘａｍｐｌｅ）」、「一例において（ｉｎ  ａｎ  ｅｘａｍｐｌｅ）」、「特定の例において（ｉｎ  ａ  ｓｐｅｃｉｆｉｃ  ｅｘａｍｐｌｅ）」、または「いくつかの例において（ｉｎ  ｓｏｍｅ  ｅｘａｍｐｌｅｓ）」のような語句が見られる場合、これは必ずしも本開示の同じ実施形態または例を参照しているとは限らない。さらに、１つもしくは複数の実施形態または例において、特定の特徴、構造、材料、または特性は、任意の適切な様式で組み合わされてもよい。
【０１０１】
説明的な実施形態が図示および説明されてきたが、上記実施形態は本開示を限定するように解釈されることはあり得ず、本開示の精神、原理および範囲から逸脱することなく実施形態に変更、代替、および修正を行うことができることが、当業者には諒解される。
【手続補正２】
【補正対象書類名】特許請求の範囲
【補正対象項目名】全文
【補正方法】変更
【補正の内容】
【特許請求の範囲】
【請求項１】
電源電池モジュールであって、
複数のセパレータを有する電池収容アセンブリであって、各セパレータは、
前方収容溝を画定する前部および後部を有するセパレータ本体と、
前記セパレータ本体の左端に配置される左カバーと、
前記セパレータ本体の右端に配置される右カバーとを備え、
隣接するセパレータは互いに取り外し可能に接続され、前記隣接するセパレータのうちの一方の前記前方収容溝、および、前記隣接するセパレータの他方の前記セパレータ本体の前記後部が電池室を画定し、前記前方収容溝の上壁および下壁のうちの少なくとも一方の中にスナップ嵌め孔が形成される、電池収容アセンブリと、
電池群であって、対応して前記電池室内に収容される複数の電池を含み、各電池は、電極端子を有する、電池群と、
隣接する電池の前記電極端子と接続される電源接続部材と、
前記電源接続部材と接続される電源接続配線と、
配線スナップフィットであって、スナップフィット本体の長さ方向において前記スナップフィット本体を貫通する配線溝を画定する、スナップフィット本体、および前記スナップフィット本体の外部に配置されており、前記スナップフィット本体を前記セパレータに締結するために前記スナップ嵌め孔内にスナップ嵌めされるように構成されている配線クラスプを有するスナップ嵌め部を備える配線スナップフィットと
を備え、
前記電源接続配線は前記配線溝を通過し、前記配線溝内に受け入れられる、電源電池モジュール。
【請求項２】
前記電源電池モジュールは、
前記電極端子と接続される信号収集配線と、
前記信号収集配線と接続される信号収集部材とをさらに備え、
前記信号収集配線は前記配線溝を通過し、前記配線溝内に受け入れられる、請求項１に記載の電源電池モジュール。
【請求項３】
前記セパレータの前記後部は後方収容溝を画定し、前記スナップ嵌め孔は、前記後方収容溝の上壁および下壁のうちの少なくとも一方の中に形成される、請求項１に記載の電源電池モジュール。
【請求項４】
カバー挿入スロットが前記セパレータ本体内に形成され、前記カバー挿入スロット内に嵌まるように適合されているカバークラスプが、前記左カバーおよび前記右カバーの各々に配置される、請求項１に記載の電源電池モジュール。
【請求項５】
前記スナップフィット本体は、アーチ形状を有するように構成され、前記配線溝の下端に開口部が形成され、前記スナップ嵌め部は前記開口部の２つの側部に配置される、請求項１に記載の電源電池モジュール。
【請求項６】
前記開口部の前記２つの側部に配置される前記スナップ嵌め部は互いに対称である、請求項５に記載の電源電池モジュール。
【請求項７】
前記スナップフィット本体および前記スナップ嵌め部は一体的に形成され、前記スナップ嵌め部の第１の端部は前記スナップフィット本体と接続され、前記配線クラスプは前記スナップ嵌め部の第２の端部に配置される、請求項１に記載の電源電池モジュール。
【請求項８】
前記配線溝は、第１の配線溝および第２の配線溝を備え、前記スナップ嵌め部は前記第１の配線溝の外壁面上に配置され、前記第１の配線溝および前記第２の配線溝の延伸方向は交差する、請求項１に記載の電源電池モジュール。
【請求項９】
前記配線溝は、
配線を収容するように構成されている配線収容部と、
前記配線収容部の下端に配置され、前記配線収容部と連通する遷移部とを備え、
前記遷移部の側方サイズは前記配線収容部の側方サイズよりも小さく、前記遷移部の下端は開いている、請求項１に記載の電源電池モジュール。
【請求項１０】
前記配線収容部の断面は円形状を有するように構成され、前記遷移部の断面は矩形形状を有するように構成され、前記遷移部の幅は前記配線収容部の直径よりも小さい、請求項９に記載の電源電池モジュール。
【請求項１１】
前記遷移部の前記側方サイズは、上から下に漸進的に低減する、請求項１０に記載の電源電池モジュール。
【請求項１２】
前記配線収容部の内壁面は、平滑な表面として構成され、前記配線収容部の端部にフィレットが形成される、請求項１０に記載の電源電池モジュール。
【請求項１３】
前記配線収容部の断面は正方形形状を有するように構成されており、前記遷移部の断面は、矩形形状を有するように構成されている、請求項９に記載の電源電池モジュール。
【請求項１４】
前記スナップ嵌め部のサイズは、長さ方向において前記スナップフィット本体のサイズよりも小さく、前記スナップ嵌め部の端部の表面は、前記スナップフィット本体の端部の表面と同一平面上にある、請求項５〜１３のいずれか一項に記載の電源電池モジュール。
【請求項１５】
前記スナップ嵌め部は、実質的に前記スナップフィット本体と同じアーチ形状を有するように構成され、前記スナップ嵌め部のサイズは、幅方向と上下方向の両方において、前記スナップフィット本体のサイズよりも大きく、前記配線クラスプは幅方向において前記スナップ嵌め部の２つの端部に配置され、外向きに延伸する、請求項８に記載の電源電池モジュール。
【請求項１６】
前記スナップ嵌め部は前記配線溝の第１の端部に隣接して配置され、制限フランジが、前記配線溝の第２の端部に配置される、請求項１４に記載の電源電池モジュール。
【国際調査報告】
2017501552.tif 000025
2017501552.tif 000026